(57)【要約】  カートリッジから流体を噴霧化するネブライザとそのようなネブライザのためのカートリッジとを提案する。カートリッジは、噴霧化される流体を含有する容器を含み、かつ容器から流体を搬送するためにネブライザの接続要素を挿入することによってネブライザに流体接続される。カートリッジは、好ましくは接続要素を密封的に受け入れるようになっており、かつ最初にカートリッジを密封して挿入時に接続要素によって貫通可能又は破断可能である膜又は密封壁を任意的に含むことができる。カートリッジは、容器から流体を搬送するために少なくとも部分的に可撓性及び／又は曲げ可能なチューブを更に含むことができる。チューブは、好ましくは流体によって湿潤可能であり、及び／又は少なくとも部分的に親水性及び／又は極性面を含む。更に、チューブは、少なくとも部分的に螺旋として成形することができる。カートリッジがネブライザに接続された時に、チューブ及び接続要素は、好ましくは、連続毛管及び／又は少なくとも実質的に一定の流れ区域を形成する。【選択図】図３
2020501665.tif 000002
【特許請求の範囲】
【請求項１】
流体（２）を噴霧化するためのネブライザ（１）のためのカートリッジ（３）であって、
流体（２）が、医薬組成物／製剤、及び／又は液体薬剤であり、
カートリッジ（３）が、
噴霧化される流体（２）を含有する容器（４）と、
少なくとも部分的に可撓性を有し、かつ／又は曲げ可能であり、前記容器（４）から流体（２）を搬送するためのチューブ（２５）と、
前記容器（４）をネブライザ（１）又はその送出機構（１０）に流体的に及び／又は密封的に接続するための接続ポート（９）を有する閉鎖部（７）と、
を含み、
特に、前記チューブ（２５）が、前記閉鎖部（７）又は接続ポート（９）に機械的に及び／又は流体的に、好ましくは直接的又は間接的に接続され、
前記チューブ（２５）は、該チューブ（２５）が前記流体（２）に少なくとも部分的に浸漬されるように該流体（２）によって少なくとも部分的に湿潤可能であり、かつ／又は、
前記チューブ（２５）は、少なくとも部分的に螺旋の形状を有し、かつ／又は、
カートリッジ（３）が、前記チューブ（２５）を前記接続ポート（９）に接続するアダプタ（２６）を含み、該アダプタ（２６）は、該接続ポート（９）及び／又は前記ネブライザ（１）の接続要素（１４）を密封的に受け入れるようになっており、かつ／又は前記閉鎖部（７）又は接続ポート（９）と前記容器（４）との間の密封要素（３２）を形成する、
ことを特徴とするカートリッジ（３）。
【請求項２】
前記閉鎖部（７）、特に前記接続ポート（９）は、前記容器（４）の中心区域に前記チューブ（２５）の軸線方向／固定端部（２５Ａ）を保持する及び／又はそれを形成し、及び／又は該チューブ（２５）に流体的及び／又は密封的に接続されることを特徴とする請求項１に記載のカートリッジ。
【請求項３】
前記チューブ（２５）は、毛細管として構成され、及び／又は１ｍｍ未満又は０．８ｍｍ、特に０．７ｍｍ未満又は０．５ｍｍ、及び／又は０．１ｍｍよりも大きく又は０．２ｍｍの内径を含むことを特徴とする請求項１から請求項２のいずれか１項に記載のカートリッジ。
【請求項４】
前記チューブ（２５）は、カートリッジ（３）の出荷状態において及び／又はカートリッジ（３）を開ける時に該チューブ（２５）が少なくとも部分的に前記流体（２）に浸漬される及び／又は該チューブ（２５）内の流体レベルが該チューブ（２５）の外側の流体レベルに等しいか又はそれよりも上であるように構成されることを特徴とする請求項３に記載のカートリッジ。
【請求項５】
前記チューブ（２５）は、前記容器（４）の高さよりも短く、及び／又は好ましくはその自由端（２５Ｂ）が該容器（４）の最外区域、特に該容器（４）の上側及び下側軸線方向端部に達することができるように特に完全に該容器（４）内に配置されることを特徴とする請求項１から請求項４のいずれか１項に記載のカートリッジ。
【請求項６】
前記チューブ（２５）は、プラスチック、好ましくは、熱可塑性プラスチック及び／又は熱可塑性エラストマー、特に、ポリアミド、ポリエチレン、ポリプロピレン、ポリブチレンテレフタレート、又はポリエーテルブロックアミドで作られることを特徴とする請求項１から請求項５のいずれか１項に記載のカートリッジ。
【請求項７】
前記チューブ（２５）は、その表面エネルギを高めるために表面処理され、特に、コロナ、プラズマ、又は火炎で処理される及び／又は被覆されることを特徴とする請求項１から請求項６のいずれか１項に記載のカートリッジ。
【請求項８】
前記チューブ（２５）は、その表面エネルギを高めるために少なくとも１つの添加剤を含有することを特徴とする請求項１から請求項７のいずれか１項に記載のカートリッジ。
【請求項９】
前記チューブ（２５）の表面エネルギが、前記流体（２）の表面張力よりも大きいか又はそれに等しいことを特徴とする請求項１から請求項８のいずれか１項に記載のカートリッジ。
【請求項１０】
前記チューブ（２５）は、前記流体（２）の液滴と該チューブ（２５）の面との間の接触角が７０°未満又は６０°、特に５０°未満又は３０°、最も好ましくは２０°未満であるように該流体（２）によって湿潤可能であることを特徴とする請求項１から請求項９のいずれか１項に記載のカートリッジ。
【請求項１１】
カートリッジ（３）が、前記チューブ（２５）に取り付けられた又はそれによって形成された浸漬要素（２７）を含むことを特徴とする請求項１から請求項１０のいずれか１項に記載のカートリッジ。
【請求項１２】
前記浸漬要素（２７）は、前記チューブ（２５）の自由端（２５Ｂ）に取り付けられるか又はそれによって形成されることを特徴とする請求項１１に記載のカートリッジ。
【請求項１３】
前記浸漬要素（２７）は、チューブ状又は円錐形状を有し、かつ少なくとも部分的に前記チューブ（２５）を取り囲むことを特徴とする請求項１１に記載のカートリッジ。
【請求項１４】
前記浸漬要素（２７）は、前記チューブ（２５）の少なくとも自由端（２５Ｂ）が前記流体（２）内に保たれるようになっていることを特徴とする請求項１１から請求項１３のいずれか１項に記載のカートリッジ。
【請求項１５】
前記浸漬要素（２７）の表面エネルギが、前記流体（２）の表面張力よりも大きいか又はそれに等しいことを特徴とする請求項１１から請求項１４のいずれか１項に記載のカートリッジ。
【請求項１６】
前記容器（４）、特にその内面が、前記流体（２）による前記チューブ（２５）よりも該流体（２）によって湿潤不能及び／又は少なく湿潤可能であることを特徴とする請求項１から請求項１５のいずれか１項に記載のカートリッジ。
【請求項１７】
前記容器（４）、特にその内面の表面エネルギが、前記チューブ（２５）の表面エネルギよりも小さい及び／又は前記流体（２）の表面張力よりも小さいことを特徴とする請求項１から請求項１６のいずれか１項に記載のカートリッジ。
【請求項１８】
前記容器（４）の面と前記流体（２）の液滴との間の接触角が、７０°よりも大きく又は９０°、好ましくは１００°よりも大きく又は１１０°、特に１３０°よりも大きく又は１４０°、及び／又は前記チューブ（２５）の面と該流体（２）の液滴との間の接触角よりも大きいことを特徴とする請求項１から請求項１７のいずれか１項に記載のカートリッジ。
【請求項１９】
前記チューブ（２５）又はその浸漬要素（２７）が、少なくとも部分的に親水性及び／又は極性の面を含み、好ましくは、前記流体（２）は、水性である及び／又は溶媒として水溶液及び／又は水を含むことを特徴とする請求項１から請求項１８のいずれか１項に記載のカートリッジ。
【請求項２０】
前記容器（４）は、少なくとも部分的に疎水性及び／又は無極性の内面又は層を含み、好ましくは、前記流体（２）は、水性である及び／又は溶媒として水溶液及び／又は水を含むことを特徴とする請求項１から請求項１９のいずれか１項に記載のカートリッジ。
【請求項２１】
前記流体（２）は、その表面張力を低減するために少なくとも１つの添加剤、特に塩化ベンザルコニウムを含有することを特徴とする請求項１から請求項２０のいずれか１項に記載のカートリッジ。
【請求項２２】
前記螺旋は、円錐螺旋であり、及び／又は好ましくはその固定端部（２５Ａ）に向けて先細であることを特徴とする請求項１から請求項２１のいずれか１項に記載のカートリッジ。
【請求項２３】
前記螺旋の最大直径、特にその自由端（２５Ｂ）での該直径が、前記容器（４）の内径よりも少なくとも５％又は１０％小さいことを特徴とする請求項１から請求項２２のいずれか１項に記載のカートリッジ。
【請求項２４】
前記螺旋は、圧縮可能であり、及び／又は
前記螺旋の軸線方向長さが、前記流体（２）のレベルに応じて適応可能であり、及び／又は
カートリッジ（３）が、前記容器（４）内で可動であるピストン（３５）を含み、好ましくは、前記螺旋又はチューブ（２５）の自由端（２５Ｂ）が、該ピストン（３５）に取り付けられる又は締結される、
ことを特徴とする請求項１から請求項２３のいずれか１項に記載のカートリッジ。
【請求項２５】
前記螺旋又はチューブ（２５）の自由端（２５Ｂ）が、カートリッジ（３）のあらゆる空間方位に対して、特に上下逆さまに回転した時でさえも少なくとも実質的に前記容器（４）内の前記流体（２）内の該流体（２）の最低点に又はそれに隣接して位置付けられ、及び／又は
前記螺旋又はチューブ（２５）は、特に該螺旋又はチューブ（２５）の前記自由端（２５Ｂ）が上下逆さまに回転した時に少なくとも実質的に該螺旋又はチューブ（２５）の前記最低点であるように反転可能である、
ことを特徴とする請求項１から請求項２４のいずれか１項に記載のカートリッジ。
【請求項２６】
前記チューブ（２５）及び／又はその浸漬要素（２７）の密度が、前記流体（２）の密度よりも特に１０％よりも大きく、２５％又は５０％大きいことを特徴とする請求項１から請求項２５のいずれか１項に記載のカートリッジ。
【請求項２７】
前記チューブ（２５）の軸線方向／固定端部（２５Ａ）及び／又は自由端（２５Ｂ）が、バルブ（３０）及び／又は自由端（２５Ｂ）の空間方位に応じて自動的に開閉するように設計されたバルブ（３０）を含むことを特徴とする請求項１から請求項２６のいずれか１項に記載のカートリッジ。
【請求項２８】
前記バルブ（３０）は、前記自由端（２５Ｂ）が前記流体（２）に浸漬されない及び／又は少なくとも実質的に重力（Ｇ）とは反対方向を指向する時に閉じられ、そうでなければ開かれることを特徴とする請求項２７に記載のカートリッジ。
【請求項２９】
前記流体（２）は、極性を有し、及び／又は水性医薬製剤又はアルコール性、特にエタノール性の医薬製剤であることを特徴とする請求項１から請求項２８のいずれか１項に記載のカートリッジ。
【請求項３０】
好ましくは請求項１から請求項２９のいずれか１項に記載のネブライザ（１）のためのカートリッジ（３）であって、
噴霧化される流体（２）を含有する容器（４）と、
前記容器（４）をネブライザ（１）又はその送出機構（１０）に流体的及び／又は密封的に接続するための接続ポート（９）を有する閉鎖部（７）と、
を含み、
前記閉鎖部（７）又は接続ポート（９）は、フィルムヒンジ（３１Ｄ）と厚みの薄い円周部分（３１Ｂ）とを有する膜又は密封壁（３１）を含み、そのために該膜又は密封壁（３１）は、前記ネブライザ（１）の接続要素（１４）の挿入時に該円周部分に沿って破断して脇へ傾き、かつ／又は
カートリッジ（３）が、シーリング（Ｓ１）をその中間に形成するために前記閉鎖部（７）と前記容器（４）の間に密封要素（３２）を含み、該密封要素（３２）は、前記接続ポートを通過した後で前記接続要素（１４）を密封的に受け入れるようになっており、かつ／又は
カートリッジ（３）が、前記容器（４）から前記流体（２）を搬送するためのチューブ（２５）と、該チューブ（２５）を前記閉鎖部（７）又は前記接続ポート（９）に接続するアダプタ（２６）とを含む、
ことを特徴とするカートリッジ（３）。
【請求項３１】
前記膜又は密封壁（３１）は、前記閉鎖部（７）又は接続ポート（９）と共にワンピースとして形成されることを特徴とする請求項３０に記載のカートリッジ。
【請求項３２】
前記閉鎖部（７）、接続ポート（９）、アダプタ（２６）、及び／又は密封要素（３２）は、脇へ傾いた時に前記膜又は密封壁（３１）を受け入れるためのポケット（９Ａ）を含む又は形成することを特徴とする請求項３０又は請求項３１に記載のカートリッジ。
【請求項３３】
前記膜又は密封壁（３１）は、該膜又は密封壁（３１）の中心を前記閉鎖部（７）又は接続ポート（９）に接続する肉厚の好ましくは隆起状の接続部分（３１Ｃ）を含むことを特徴とする請求項３０から請求項３２のいずれか１項に記載のカートリッジ。
【請求項３４】
前記膜又は密封壁（３１）の主延長平面が、閉鎖又は非破断状態で前記閉鎖部（７）、接続ポート（９）、及び／又は接続要素（１４）の長手軸に対して傾斜していることを特徴とする請求項３０から請求項３３のいずれか１項に記載のカートリッジ。
【請求項３５】
前記膜又は密封壁（３１）は、前記フィルムヒンジ（３１Ｄ）がカートリッジ（３）、閉鎖部（７）、及び／又は接続ポート（９）の好ましくは前記接続要素（１４）を挿入するための開口部から最も離れた点に位置付けられる又はそれを形成するように傾斜していることを特徴とする請求項３４に記載のカートリッジ。
【請求項３６】
前記膜又は密封壁（３１）は、前記接続ポート（９）と前記接続要素（１４）の間に形成された前記シーリング（Ｓ２）と、前記密封要素（３２）と該接続要素（１４）の間に形成されたシーリング（Ｓ３）との間に位置付けられることを特徴とする請求項３６に記載のカートリッジ。
【請求項３７】
前記アダプタ（２６）は、前記密封要素（３２）を形成する又は含み、又はその逆であることを特徴とする請求項３０から請求項３６のいずれか１項に記載のカートリッジ。
【請求項３８】
前記閉鎖部（７）、特に前記接続ポート（９）は、前記容器（４）の内部の中に延び、及び／又はゴム、特にブチルゴム、及び／又は（可撓性）プラスチックで作られることを特徴とする請求項１から請求項３７のいずれか１項に記載のカートリッジ。
【請求項３９】
前記閉鎖部（７）は、無菌であることを特徴とする請求項１から請求項３８のいずれか１項に記載のカートリッジ。
【請求項４０】
カートリッジ（３）又はその前記容器（４）が、通気部／換気部（６）、特にバルブ、開口部、又は孔、及び／又は滅菌フィルタを含むことを特徴とする請求項１から請求項３９のいずれか１項に記載のカートリッジ。
【請求項４１】
カートリッジ（３）が、前記流体（２）を含有する好ましくは可撓性／圧潰性バッグ（５）を含み、該バッグ（５）は、前記容器（４）内に配置される又は維持されることを特徴とする請求項１から請求項４０のいずれか１項に記載のカートリッジ。
【請求項４２】
前記アダプタ（２６）及び／又は密封要素（３２）は、前記接続ポート（９）及び／又は前記接続要素（１４）、特にその軸線方向端部を好ましくは圧入／緊密嵌合方式で、軸線方向可動方式で、及び／又は前記チューブ（２５）から該接続要素（１４）への連続毛管及び／又は毛管移行部が形成されるように密封的に受け入れるようになっていることを特徴とする請求項１から請求項４１のいずれか１項に記載のカートリッジ。
【請求項４３】
前記アダプタ（２６）及び／又は密封要素（３２）は、前記接続要素（１４）の長さ公差を補償するように、及び／又は該接続要素（１４）の長さ変動とは独立に該接続要素（１４）、特にその軸線方向端部とのシーリング（Ｓ３）を確立する又は形成するようになっていることを特徴とする請求項１から請求項４２のいずれか１項に記載のカートリッジ。
【請求項４４】
前記アダプタ（２６）及び／又は密封要素（３２）は、前記チューブ（２５）、特にその固定端部（２５Ａ）によって形成されることを特徴とする請求項１から請求項４３のいずれか１項に記載のカートリッジ。
【請求項４５】
前記アダプタ（２６）及び／又は密封要素（３２）は、前記チューブ（２５）を密封的に受け入れるようになっており、及び／又は
前記チューブ（２５）の前記軸線方向／固定端部（２５Ａ）は、前記アダプタ（２６）及び／又は前記密封要素（３２）に密封方式で接続するようになっている、
ことを特徴とする請求項１から請求項４４のいずれか１項に記載のカートリッジ。
【請求項４６】
カートリッジ（３）が、前記チューブ（２５）を前記接続要素（１４）に流体接続するための特に剛性の中間部品（２９）を含むことを特徴とする請求項１から請求項４５のいずれか１項に記載のカートリッジ。
【請求項４７】
前記中間部品（２９）は、前記チューブ（２５）から前記接続要素（１４）への毛管移行部を形成するようになっており、及び／又は
前記中間部品（２９）の流れ区域、特にその内径が、好ましくは前記チューブ（２５）から前記接続要素（１４）への連続毛管及び／又は毛管移行部を形成するために該チューブ（２５）の流れ区域、特にその内径と少なくとも実質的に適合する、
ことを特徴とする請求項４６に記載のカートリッジ。
【請求項４８】
前記中間部品（２９）及び前記チューブ（２５）は、互いの中に特に密封的に挿入可能であることを特徴とする請求項４６又は請求項４７に記載のカートリッジ。
【請求項４９】
前記中間部品（２９）は、前記チューブ（２５）と一体的に形成されることを特徴とする請求項４６又は請求項４７に記載のカートリッジ。
【請求項５０】
前記中間部品（２９）は、前記接続要素（１４）の長さ公差を補償するようになっており、及び／又は
前記中間部品（２９）は、好ましくは前記接続要素（１４）の長さ公差を補償するために、特に該接続要素（１４）によって前記チューブ（２５）の中に又はその上に又はそれと共に軸線方向に可動に軸線方向に押圧可能である、
ことを特徴とする請求項４６から請求項４９のいずれか１項に記載のカートリッジ。
【請求項５１】
前記チューブ（２５）は、少なくとも部分的に可撓性及び／又は曲げ可能であり、及び／又はゴム、特にブチルゴム、及び／又はプラスチック、好ましくは熱可塑性プラスチック及び／又は熱可塑性エラストマー、特にポリアミド、ポリエチレン、ポリプロピレン、ポリブチレンテレフタレート、又はポリエーテルブロックアミドで作られることを特徴とする請求項１から請求項５０のいずれか１項に記載のカートリッジ。
【請求項５２】
前記チューブ（２５）は、好ましくはその自由端（２５Ｂ）が前記容器（４）の最外区域、特に該容器（４）の上側及び下側軸線方向端部に達することができるように、該容器（４）の高さよりも短く、及び／又は特に完全に該容器（４）内に配置されることを特徴とする請求項１から請求項５１のいずれか１項に記載のカートリッジ。
【請求項５３】
前記閉鎖部（７）、特に前記接続ポート（９）は、前記容器（４）の内部の中に延び、及び／又は該容器（４）の中心区域に前記チューブ（２５）の軸線方向／固定端部（２５Ａ）を保持する及び／又は形成することを特徴とする請求項１から請求項５２のいずれか１項に記載のカートリッジ。
【請求項５４】
流体（２）のためのネブライザ（１）であって、
流体（２）を含有する容器（４）を有する好ましくは挿入可能なカートリッジ（３）と、
前記カートリッジ（３）を受け入れるためのハウジング（２０）と、
流体（２）を加圧するための送出機構（１０）と、
前記カートリッジ（３）を前記送出機構（１０）に流体接続するための接続要素（１４）と、
を含み、
前記カートリッジ（３）が、前記容器（４）から流体（２）を搬送するためのチューブ（２５）を含み、
前記接続要素（１４）及び前記チューブ（２５）は、特に該チューブ（２５）から該接続要素（１４）への移行部での又はそれを含む少なくとも実質的に一定の流れ区域を形成する又は含み、及び／又は
前記接続要素（１４）は、前記チューブ（２５）にその軸線方向端部で密封的に接続され、又は該チューブ（２５）上に軸線方向に当接し、及び／又は
前記カートリッジ（３）は、請求項１から請求項５３のいずれか１項に従って構成される、
ことを特徴とするネブライ（１）。
【請求項５５】
前記カートリッジ（３）は、シール（８）、特にホイル（８Ａ）を有する閉鎖部（７）、及び／又は膜又は密封壁（３１）、及び／又は好ましくは漏斗及び／又は円錐形状の接続ポート（９）を含み、好ましくは、該ホイル（８Ａ）は、外側に対して該接続ポート（９）を覆い、及び／又は該膜又は密封壁（３１）は、該接続ポート（９）内に配置されることを特徴とする請求項５４に記載のネブライザ。
【請求項５６】
前記接続要素（１４）は、剛性であり、及び／又は貫通要素として構成され、及び／又は前記カートリッジ（３）、特にシ―ル（８）、ホイル（８Ａ）、及び／又は膜又は密封壁（３１）を貫通する及び／又は開けるようになっていることを特徴とする請求項５５に記載のネブライザ。
【請求項５７】
前記閉鎖部（７）及び／又は接続ポート（９）は、前記接続要素（１４）とのシーリング（Ｓ２）を形成するようになっていることを特徴とする請求項５５又は請求項５６に記載のネブライザ。
【請求項５８】
前記カートリッジ（３）は、前記チューブ（２５）を前記接続要素（１４）に及び／又は前記接続ポート（９）に流体接続するための好ましくは漏斗及び／又は円錐形状のアダプタ（２６）を含むことを特徴とする請求項５４から請求項５７のいずれか１項に記載のネブライザ。
【請求項５９】
前記アダプタ（２６）は、前記接続ポート（９）及び／又は前記接続要素（１４）、特にその軸線方向端部を好ましくは圧入／緊密嵌合方式で、軸線方向可動方式で、及び／又は前記チューブ（２５）から該接続要素（１４）への連続毛管及び／又は毛管移行部が形成されるように密封的に受け入れるようになっていることを特徴とする請求項５８に記載のネブライザ。
【請求項６０】
前記アダプタ（２６）は、前記接続要素（１４）の長さ公差を補償するように、及び／又は該接続要素（１４）の長さ変動とは独立に該接続要素（１４）、特にその軸線方向端部との密封接続又はシーリング（Ｓ３）を確立する又は形成するようになっていることを特徴とする請求項５８又は請求項５９に記載のネブライザ。
【請求項６１】
前記アダプタ（２６）は、前記チューブ（２５）、特にその固定端部（２５Ａ）によって形成されることを特徴とする請求項５８から請求項６０のいずれか１項に記載のネブライザ。
【請求項６２】
前記アダプタ（２６）は、前記チューブ（２５）を密封的に受け入れるようになっており、及び／又は
前記チューブ（２５）の前記軸線方向／固定端部（２５Ａ）は、前記アダプタ（２６）に密封方式で接続するようになっている、
ことを特徴とする請求項５８から請求項６０のいずれか１項に記載のネブライザ。
【請求項６３】
前記カートリッジ（３）は、前記チューブ（２５）を前記接続要素（１４）に流体接続するための特に剛性の中間部品（２９）を含むことを特徴とする請求項５４から請求項６２のいずれか１項に記載のネブライザ。
【請求項６４】
前記中間部品（２９）は、前記チューブ（２５）から前記接続要素（１４）への毛管移行部を形成し、及び／又は
前記中間部品（２９）の流れ区域、特にその内径が、好ましくは前記チューブ（２５）から前記接続要素（１４）への連続毛管及び／又は毛管移行部を形成するために、該チューブ（２５）及び該接続要素（１４）の流れ区域、特にその内径に少なくとも実質的に適合する、
ことを特徴とする請求項６３に記載のネブライザ。
【請求項６５】
前記中間部品（２９）及び前記チューブ（２５）、及び／又は該中間部品（２９）及び前記接続要素（１４）は、互いの中に特に密封的に挿入可能であることを特徴とする請求項６３又は請求項６４に記載のネブライザ。
【請求項６６】
前記中間部品（２９）は、前記チューブ（２５）と一体的に形成されることを特徴とする請求項６３又は請求項６４に記載のネブライザ。
【請求項６７】
前記中間部品（２９）は、前記接続要素（１４）の長さ公差を補償するようになっており、及び／又は
前記中間部品（２９）は、好ましくは前記接続要素（１４）の長さ公差を補償するために、該接続要素（１４）によって前記チューブ（２５）の中に又はその上に又はそれと共に軸線方向に可動に特に軸線方向に押圧可能である、
ことを特徴とする請求項６３から請求項６６のいずれか１項に記載のネブライザ。
【請求項６８】
前記チューブ（２５）は、少なくとも部分的に可撓性及び／又は曲げ可能であり、及び／又はゴム、特にブチルゴム、及び／又はプラスチック、好ましくは熱可塑性プラスチック及び／又は熱可塑性エラストマー、特にポリアミド、ポリエチレン、ポリプロピレン、ポリブチレンテレフタレート、又はポリエーテルブロックアミドで作られることを特徴とする請求項５４から請求項６７のいずれか１項に記載のネブライザ。
【請求項６９】
前記チューブ（２５）は、好ましくはその自由端（２５Ｂ）が前記容器（４）の最外区域、特に該容器（４）の上側及び下側軸線方向端部に達することができるように、該容器（４）の高さよりも短く、及び／又は特に完全に該容器（４）内に配置されることを特徴とする請求項５４から請求項６８のいずれか１項に記載のネブライザ。
【請求項７０】
前記閉鎖部（７）、特に前記接続ポート（９）は、前記容器（４）の内部の中に延び、及び／又は該容器（４）の中心区域に前記チューブ（２５）の軸線方向／固定端部（２５Ａ）を保持する及び／又は形成することを特徴とする請求項５４から請求項６９のいずれか１項に記載のネブライザ。
【発明の詳細な説明】
【技術分野】
【０００１】
本発明は、請求項１又は３０の前文によるネブライザのためのカートリッジ及び請求項５４の前文によるネブライザに関する。
【背景技術】
【０００２】
ＷＯ  ２００９／０４７１７３  Ａ２は、流体を噴霧化するためのネブライザを開示している。ネブライザは、流体を含有する挿入可能カートリッジと、カートリッジを受け入れるためのハウジングと、噴霧化される流体の投与量を加圧するために駆動バネを有する圧力発生器とを含む。ネブライザは、カートリッジ内に挿入することができて駆動バネが引張された時に流体の投与量をカートリッジから引き出す搬送チューブを更に含む。
【０００３】
ＷＯ  ２００９／１０３５１０  Ａ１は、噴霧化される流体を含有する事前挿入式カートリッジを含むネブライザを開示している。カートリッジは、カートリッジから流体を搬送するための可撓性搬送チューブを含む。
【０００４】
ＷＯ  ２０１０／０９４３０５  Ａ１は、ネブライザが液体と液体を分注するためにバルブを通してストレージから液体を押し出す加圧ガスとを含有するストレージを有するカートリッジを含む液体を分注するためのネブライザを開示している。
【０００５】
ＷＯ  ２０１２／１３０７５７  Ａ１は、容器キャップを有する容器から液体医薬製剤を放出するための手持ち式デバイス、特にアトマイザに関するものである。医薬製剤は、例えば、アルコール溶媒に基づくことができる。挿入された容器を有するアトマイザは、デバイスと容器の間の接続場所でのこの場所での液体の損失、拡散漏出、及び周囲とのガス交換を防止する２つのシールから構成された密封システムを含む。
【０００６】
これらのネブライザ／カートリッジの空間方位に応じて、流体の引き出しが影響を受ける可能性がある。特に、カートリッジから十分な流体を引き出すことができないこと、及び／又はガス又は空気が吸い出されるかもしれないこと、及び／又は投与量の最後の送出後に流体の残余量がカートリッジ内に残るような容積全体が使用されないことが起こるかもしれない。
【０００７】
ＷＯ  ９８／４６５２２  Ａ１は、流体とスポンジのようなストレージ媒体とを有するカートリッジを開示している。流体を引き出すための剛性又は可撓性チューブは、カートリッジの壁に堅く取り付けられた又は引き出しチューブと共に自由に揺動することができるストレージ媒体内で終端する。ストレージ媒体は、チューブの端部がカートリッジ内の流体レベルよりも上に位置する時でさえも、常にある一定の量の流体を維持する。そのようにして、流体は、その空間方位とは本質的に無関係にカートリッジから引き出すことができる。それにも関わらず、引き出すことができない流体のある一定の残余量が、カートリッジ又はストレージ媒体内に残ることになる。
【０００８】
ＵＳ  ５、５２７、５７７  Ａは、容器が垂直の方位から傾いた時に排出チューブの入口開口が液体製品のレベルよりも下に留まることを可能にするために液体製品よりも大きい比重を与える高密度充填材料との可撓性材料の組合せをチューブが含む容器から液体製品を放出するための可撓性排出チューブを有する液体ディスペンサを開示している。代替実施形態では、排出チューブは、排出チューブと液体製品の間の表面張力を低減して又は排除して排出チューブが液体上に浮かぶ傾向を低減するように液体製品の小部分を吸収することができる吸収材料を有する層を含む。
【０００９】
ＤＥ  １０３  ４７  ４６６  Ａ１及びＦＲ  ２  ７００  ４８３  Ａ１は、重り又はバラストをその自由端に有する可撓性排出チューブを含む分注機構を有する液体ディスペンサを開示している。液体ディスペンサが上下逆さまに保持された時に、重り又はバラストは、重力に起因してチューブ上に力を及ぼし、自由端が液体に浸漬されたままに留まるようにチューブを曲げさせる。
【発明の概要】
【発明が解決しようとする課題】
【００１０】
上述の観点から、本発明の目的は、好ましくはカートリッジに含有された流体の引き出し／吸引が容易にされる及び／又はそれをネブライザ／カートリッジの空間方位とは少なくとも本質的に独立に行うことができ、及び／又はカートリッジから引き出すことができる流体の量が増大される及び／又は流れ損失が低減されるネブライザのためのカートリッジ及び／又は改善されたカートリッジを含む改善されたネブライザを提供することである。
【課題を解決するための手段】
【００１１】
上述の目的は、請求項１又は３０によるカートリッジによって又は請求項５４によるネブライザによって達成される。好ましい実施形態は、従属請求項に従う。
【００１２】
本発明は、流体、好ましくは液体、特に液体医薬組成物／製剤及び／又は液体薬剤を流体を含有する好ましくは交換可能なカートリッジから噴霧化する／分注するためのネブライザ／分注デバイスに関連し、そのようなネブライザ／分注デバイスのカートリッジに更に関連する。
【００１３】
流体は、好ましくは極性があり、及び／又は電気双極子モーメントを含む。
【００１４】
最も好ましくは、流体は水性であり、及び／又は溶媒として水溶液及び／又は水を含む。
【００１５】
これに代えて、流体は、溶媒としてアルコール溶液及び／又はアルコール、特にエタノールを含む。
【００１６】
カートリッジは、噴霧化／分注される流体、特に流体の複数投与量を含有する容器及び／又はバッグを含むことが好ましい。
【００１７】
好ましくは、カートリッジは、容器から流体を搬送する／引き出すためのチューブ、特に浸漬／搬送チューブ、特に好ましくは毛細管を含み、好ましくは、チューブは、少なくとも部分的に可撓性又は曲げ可能である。
【００１８】
本発明の一態様により、チューブ、特にその内面及び／又は外面は、好ましくは、流体と接触した状態でチューブ、特に少なくともその自由端が流体のフィルムによって自動的に濡れる、及び／又は自動的に流体を取り込む、及び／又は流体によって重くなって沈む、及び／又は容器内の流体に向けて自動的に位置合わせされる／曲げられる、及び／又は少なくとも部分的に流体に浸漬されるように流体によって湿潤可能である。
【００１９】
好ましくは、チューブは、湿潤可能であり、特に、好ましくはカートリッジの出荷状態で及び／又はカートリッジを開ける時に、チューブ内の流体レベルがチューブの外側の流体レベルに等しいか又はそれよりも上であるように、及び／又はチューブが流体と接触した時に、チューブの外面、特に少なくともその自由端が濡れ、更にチューブが毛管作用に起因して流体を取り込む／流体で充填されるように、好ましくは１ｍｍ未満又は０．８ｍｍ未満、特に０．７ｍｍ未満又は０．５ｍｍ未満の内径を有する毛細管として構成される。すなわち、相乗方式で、チューブは、流体によってその内面及び外面の両方上で濡れる及び／又は重くなって沈む。
【００２０】
好ましくは、チューブ、特にその内面及び／又は外面は、流体の液滴とチューブの面との間の接触角が７０°未満又は６０°、特に５０°未満又は３０°、最も好ましくは２０°未満であるように湿潤可能である。
【００２１】
好ましくは、チューブの表面エネルギ、特にその内面及び／又は外面の表面エネルギは、流体の表面張力よりも大きいか又はそれに等しい。最も好ましくは、チューブの表面エネルギ、特にその内面及び／又は外面の表面エネルギは、流体の表面張力よりも少なくとも２ｍＮ／ｍ又は５ｍＮ／ｍ、特に８ｍＮ／ｍ又は１０ｍＮ／ｍ大きい。このようにして、チューブの良好な濡れを達成することができる。
【００２２】
好ましい実施形態により、チューブは、少なくとも部分的に親水性及び／又は極性の面を含み、流体は、水性である及び／又は溶媒として水溶液及び／又は水を含み、又は流体は、溶媒としてアルコール溶液及び／又はエタノールのようなアルコールを含む。このようにして、チューブが流体と接触すると、流体は、チューブを広範囲わたって、特にその親水性及び／又は極性面を流体のフィルムで濡らす。
【００２３】
その湿潤性に起因して、チューブは、流体と接触して濡れた状態で、流体で重くなり、及び／又は流体が容器内でその位置を変えた場合でも、例えばカートリッジを水平姿勢に及び／又は上下逆さまに回転させた時さえも容器内の流体に向けて自動的に位置合わせする／曲がる。この効果は、上述のようにチューブを毛細管として構成し、それによって自動的にチューブを流体で充填することによって更に高めることができる。
【００２４】
チューブ面への流体の（良好な）接着、すなわち、流体をチューブ面にくっつかせる力により、及び／又は流体分子の凝集、すなわち、流体分子を互いにくっつかせる力により、少なくともチューブの自由端は流体内に維持される。
【００２５】
特に、接着力及び凝集力は、曲げによって生じるチューブの復元力よりも大きいので、カートリッジの空間方位を変えた場合でも、チューブはその静止位置に復帰するのではなく、むしろ流体に浸漬されたままである。言い換えれば、チューブ又は少なくともその軸線方向端部は、カートリッジ内の流体と共に自動的に移動し、及び／又は常に流体との接触を保つ。それにより、少なくとも本質的にカートリッジの空間方位とは独立に流体を引き出すことが可能になる。
【００２６】
すなわち、本発明は、少なくとも本質的にカートリッジの空間方位とは独立に流体の引き出し及び／又はネブライザの引張及び／又は作動を可能にする。特に、患者、すなわち、ネブライザのユーザは、ネブライザを引張する及び／又はネブライザを作動させる時に、ネブライザがある一定の空間方位、例えば、垂直方向に向けられていることを確認する必要はない。このようにして、ネブライザの誤用又は誤適用を防ぐことができ、又は少なくともそのような誤用又は誤適用リスクを低減することができる。
【００２７】
好ましくは、チューブの浸漬は、チューブの自由端があらゆる空間方位に対してカートリッジの流体内の少なくとも本質的に流体の最低点に又はそれに隣接して（常に）位置付けられるようなものである。
【００２８】
湿潤性及び／又は毛管作用に起因して、カートリッジから引き出すことができる容積及び／又はカートリッジの使用期間は増大することができる。
【００２９】
既存のカートリッジは、典型的に、少なくとも予定の適用総量に関して一定容積での投与量の送出を保証するために噴霧化される流体で過剰充填される。本発明の場合に、通常充填されたカートリッジのほぼ全容量を利用することができるので、カートリッジを有意に過剰充填する必要がない。
【００３０】
湿潤性は、好ましくは、材料／面、特に固体面が濡れる及び／又は流体、特に液体との接触を維持する機能である。それは、流体のタイプと使用する材料／面のタイプとに依存する。特に、湿潤性は、流体の表面張力、材料／面の表面エネルギ、及び流体と面の間の表面張力（界面エネルギ）に依存する。材料／面の湿潤性は、接触角、すなわち、液滴と問題の（固体）面／材料との間に形成される角度によって定量化することができる。
【００３１】
材料／面の湿潤性／表面エネルギは、ＤＩＮ  ５５６６０−２：２０１１−１２に従って測定されることが好ましい。
【００３２】
好ましくは、接触角が９０°未満、特に７０°未満である場合、及び／又は材料／面の表面エネルギが、特に少なくとも２ｍＮ／ｍ又は５ｍＮ／ｍで、流体の表面張力よりも大きいか又はそれに等しい場合に、材料／面は、流体によって湿潤可能と見なされる。
【００３３】
接触角は、好ましくは、材料の面、すなわち、接触点でのそのタンジェント上の流体の液滴と材料の面との間に形成される角度である。接触角は、流体の表面張力、材料／面の表面エネルギ、及び流体と材料／面の間の表面張力（界面エネルギ）に依存する。接触角は、面／材料の湿潤性に対する尺度である。例えば、７０°未満の小さい接触角は高い湿潤性に対応し、例えば、７０°よりも大きく又は９０°の大きい接触角は、一般的にパール効果又はロータス効果として公知の低い湿潤性又は非湿潤性／非濡れ性に対応する。
【００３４】
接触角Θは、以下のように定義することができる（ヤングの式）：
ｃｏｓ（Θ）＝［σS−σSF］／σF
ここで、σSは、（固体）材料／面の表面エネルギ、σSFは、流体と材料／面の間の表面張力（界面エネルギ）、σFは、［Ｎ／ｍ］で測定した流体の表面張力である。
【００３５】
接触角は、ＤＩＮ  ５５６６０−２：２０１１−１２に従って及び／又はＩＳＯ  １５９８９：２００４−１２に従って測定することが好ましい。
【００３６】
流体の表面張力は、流体の凝集力によって生じる。表面張力により、流体面は可能な限り小さい表面積を獲得する。流体の表面張力は、ＤＩＮ  ５５６６０−３：２０１１−１２に従って測定することが好ましい。
【００３７】
表面エネルギとも呼ばれる固体材料の表面張力は、材料の分子間結合を壊すのに必要とされるエネルギの尺度である。表面エネルギの高い材料は、表面エネルギの低い材料よりも容易に湿潤可能である。固体材料の表面エネルギは、ＤＩＮ  ５５６６０−２：２０１１−１２に従って測定することが好ましい。
【００３８】
特に、面は、表面の表面エネルギが、流体の表面張力よりも好ましくは少なくとも２ｍＮ／ｍ又は少なくとも５ｍＮ／ｍ高い場合に、流体で（完全に）濡れることができる。
【００３９】
チューブの望ましい特性を達成するために、すなわち、その表面エネルギ及び／又は湿潤性を高めるために、チューブは、好ましくは、表面処理され、特に、コロナ、プラズマ、火炎、湿式化学処理される及び／又は（薄膜）被覆される。これらの表面処理方法は当業者に公知である。
【００４０】
これに加えて又はこれに代えて、チューブは、その表面エネルギを高めるために少なくとも１つの添加剤を含有することが好ましい。
【００４１】
好ましくは、チューブは、ゴム、特にブチルゴム、及び／又は（可撓性）プラスチック、特にポリアミド、ポリエチレン、ポリプロピレン、ポリブチレンテレフタレート、又はポリエーテルブロックアミドなどのような熱可塑性プラスチック及び／又は熱可塑性エラストマーで製造される。典型的に、これらの（未処理）プラスチックは、２７ｍＮ／ｍ〜４５ｍＮ／ｍの表面エネルギ及び／又は７０°〜１２０°の（蒸留）水との接触角を有する。すなわち、流体に応じて、この表面エネルギは、望ましい湿潤性を達成するために好ましくは表面処理及び／又は（薄膜）コーティングによって高める必要がある。
【００４２】
これに加えて又はこれに代えて、流体は、その表面張力を低減するために塩化ベンザルコニウムのような少なくとも１つの添加剤を含有する。
【００４３】
任意的に、カートリッジは、チューブ、特にその自由端に好ましくは少なくともチューブの自由端が流体内に維持される及び／又は重力によって引き下げられるように取り付けられた重り、アンカー、又はスポンジなどのような浸漬／接触要素を装備することができると考えられる。これは、追加的に、容器の姿勢が変わっても、チューブ、少なくともその自由端又は先端が容器内の流体と接触したままであることを保証する。しかし、特に、ネブライザが、例えば引張過程に対して及び／又は噴霧化過程中に可動構成要素を含む場合に、浸漬／接触要素のサイズ及び／又は重量は、容器内での泡形成を防止するために小さく／低く寸法決めする必要がある。チューブの総重量は、泡形成を防止又は低減するために可能な限り小さくしなければならない。
【００４４】
これに代えて又はこれに加えて、浸漬要素はまた、それがチューブの一（末端）部分の周りに位置付けられるように及び／又はチューブの一（末端）部分を取り囲む又は覆うように配置することができる。
【００４５】
好ましくは、浸漬要素の密度は、浸漬要素が流体に浸漬されるが容器の底に沈まないように選択される。このようにして、浸漬要素は、容器の壁に付着する又はチューブの移動を制限することにならない。
【００４６】
チューブ内の毛管作用及び／又は毛細管としてのチューブの構成に起因して、チューブは、自動的に流体で充填され、それによって（更に）重みで下がる。
【００４７】
好ましくは、チューブは、重力によって流体中に維持されるだけでなく、むしろ／主として、上述ようにチューブの湿潤性によって維持される。それにも関わらず、重力、毛管作用により及び／又はチューブに吸い込まれた流体により及び／又は浸漬要素により増大する力と、接着力、湿潤性によって増大する力との両方が相乗的に作用し、チューブの先端が特にその空間方位とは少なくとも本質的に無関係に流体に浸漬されたままであることを保証する。
【００４８】
本発明の別の態様により、容器、特にその内面は、チューブよりも流体との湿潤性が低い。このようにして、容器の（内側）面又は層に接着する流体が少なくなり、分注することができる投与量の総量が増加する。
【００４９】
好ましくは、容器の表面エネルギ、特にその内面の表面エネルギは、チューブの表面エネルギよりも小さい及び／又は流体の表面張力よりも小さいか又はそれに等しい。
【００５０】
好ましくは、容器の（内側）面と流体の液滴の間の接触角は、チューブの面と流体の液滴の間の接触角よりも大きい。最も好ましくは、容器の面と流体の液滴の間の接触角は、７０°よりも大きいか又は９０°である。
【００５１】
水性流体及び／又は水溶液及び／又は水を溶媒として使用する時に、容器は、少なくとも部分的に疎水性であり、及び／又は少なくとも部分的に疎水性及び／又は無極性の（内側）面又は層を含むことが好ましい。
【００５２】
容器又はバッグ、特にその（内側）面又は層は、ポリテトラフルオロエチレン（ＰＴＦＥ）のような低表面エネルギを有する材料で被覆される及び／又はそれで製造することができると考えられる。このようにして、容器又はバッグの（内側）面又は層に接着する流体がより少なくなるように、容器の湿潤性が低下する。
【００５３】
すなわち、相乗方式で、（容器の表面エネルギと比べて）高い表面エネルギを有するチューブと（チューブの面エネルギと比べて）低い表面エネルギを有する容器とは、カートリッジから引き出すことができる流体容積の増大を促進する。更に、チューブと容器の間に流体フィルムが形成されないのでチューブは容器に付着しない。
【００５４】
本発明の別の態様により、チューブは、容器の内径の半分未満、４分の１、又は５分の１の最小曲げ半径を有し、好ましくは、最小曲げ半径まで曲げられた場合にチューブはキンク耐性がある。それにより、チューブは、キンクすることなく及び従って流体の引き出しに影響を及ぼすことなく、カートリッジ内で好ましくは少なくとも１８０°曲がることができることが保証される。このようにして、ネブライザ又はカートリッジの空間的な姿勢を変えた場合でも、例えば、ネブライザ／カートリッジを上下逆さまに回転させた場合でも流体を引き出すことができる。
【００５５】
任意的に、チューブは、チューブの自由端及び／又は浸漬要素の流体への浸漬が保証することができない場合、例えば、チューブが上下逆さまの姿勢で少なくとも９０°、１２０°、１５０°、又はそれよりも多く曲がらない場合、及び／又はチューブのバルブ又自由端が上方を向く場合に閉じるバルブを更に含むことができる。このようにして、空気がネブライザの送出機構に吸い込まれることが防止される。
【００５６】
好ましくは、カートリッジは、容器をネブライザ又はそのポンプ／圧力発生器に流体接続するために閉鎖部、特に好ましくは漏斗形状及び／又は円錐形状の接続ポート／アダプタを含む。
【００５７】
カートリッジ上の閉鎖部の場所は、カートリッジの上部を定めることが好ましい。以下の説明では、上部、底部、上方、下方、又は直立などのような位置及び方位に関する用語は、カートリッジが異なる位置／方位にある場合でも好ましくは閉鎖部の上述の場所を指す。
【００５８】
更に、軸線方向は、容器の閉鎖部又は上部からカートリッジ又は容器の底部への方向として理解されるものとする。半径方向は、上述の軸線方向に対して垂直な方向である。少なくとも本質的に円筒形のカートリッジの場合に、軸線方向は、円筒の長手軸の方向であり、半径方向は、円筒の半径の方向である。
【００５９】
閉鎖部、特に接続ポートは、好ましくは容器の内部へと延び、及び／又は好ましくは容器の中心区域にチューブの軸線方向端部を維持又は形成し、好ましくはチューブの自由端が容器の最も外側の区域、特に容器の上側及び下側の軸線方向端部、すなわち、その上部と底部の両方に達することができるようにする。この構成により、チューブの長さ及び従ってキンクのリスクを低減することができる。
【００６０】
本発明の別の態様により、流体によって湿潤可能である少なくとも部分的に可撓性の搬送チューブ／浸漬チューブ／毛細管は、好ましくは、流体と接触した状態で、チューブ、特に少なくともその自由端が、流体のフィルムで自動的に濡れる、及び／又は自動的に流体を取り込む、及び／又は流体で重くなる、及び／又は容器内の流体に向けて自動的に位置合わせする／曲がるように、ネブライザのための容器から好ましくは極性の流体の投与量を引き出す／搬送するのに使用される。このようにして、上述の利点を達成することができる。
【００６１】
独立に実施することもできる本発明の別の態様により、チューブは螺旋の形状を有する。その螺旋は、特に好ましくはその最大直径がチューブの自由端にあり、その最小直径がチューブの固定端部にある及び／又は固定端部に向けて先細になる円錐螺旋であることが好ましい。
【００６２】
好ましくは、螺旋は圧縮可能及び／又は延伸可能であり、及び／又は特にチューブの自由端が常に流体に浸漬されたままであるように螺旋の軸線方向長さは調節可能である。好ましくは、螺旋は、それがその長さを流体レベル又は充填レベルに自動的に調節するようになっている。それにより、チューブが容器又はバッグの内壁に付着することが有利に防止される。
【００６３】
円錐螺旋は、少なくとも本質的に２次元の又は平坦な渦巻に圧縮可能であることが好ましい。このようにして、螺旋又はチューブがそれ自身と接着する可能性が好ましくは防止又は低減される。更に別の利点は、例えば、製造中にチューブの取り扱いがより容易であることである。
【００６４】
好ましくは、螺旋は、上下逆さまにすると反転可能である。用語「反転可能」とは、好ましくは、螺旋の長手方向又は軸線方向の延長方向が反転されることを意味する。直立姿勢では、螺旋は、固定端部から容器又はカートリッジの底部又は下側軸線方向端部に向けて延びることが好ましい。上下逆さまの姿勢では、その延びは、その螺旋が固定端部から容器又はカートリッジの上部又は上側軸線方向端部又は閉鎖部に向けて延びるように反転されることが好ましい。特に、螺旋又はチューブの自由端は、少なくとも本質的に閉鎖部の方向を向いており、及び／又は少なくとも本質的に閉鎖部に最も近い螺旋又はチューブの点である。
【００６５】
提案するチューブの螺旋形状は、好ましくは、カートリッジが上下逆さまの姿勢にある時でもチューブの自由端が流体に浸漬されたままであることを保証する。このようにして、特に上下逆さまの姿勢でも、カートリッジから流体を引き出すことが常に可能であるように保証されることが好ましい。これは、例えば、１８０°までのチューブの曲げ可能性を実現することができない場合、例えば、チューブの内部軸線方向長さと比べて小さい内径を有する非常に細いカートリッジにおいて有利であるとすることができる。
【００６６】
提案するネブライザは、噴霧化される流体を含有する容器を有する好ましくは挿入可能なカートリッジを含み、カートリッジを受け入れるためのハウジングと、流体を送出／加圧するための送出機構とを更に含む。
【００６７】
独立に実施することもできる本発明の別の態様により、ネブライザは、カートリッジを送出機構に流体接続するために、特に毛細管として構成された好ましくは剛性の接続要素と、容器から流体を搬送するために、特に毛細管として構成された好ましくは可撓性／曲げ可能なチューブとを含み、接続要素及びチューブは、連続毛管及び／又は一定の流れ区域を含む又は形成し、すなわち、チューブから接続要素への移行部において空隙、死容積、間隙、及び／又は毛管作用停止がない。
【００６８】
チューブから接続要素への移行部における死容積としても公知のいずれかの空隙又は間隙は、その領域での流れ区域の拡大をもたらす。流体がチューブから搬送される場合に、接続要素を通る流体の搬送が更に継続可能になる前に、移行部におけるそのような死容積がまず流体で（完全に）充填される必要がある。従って、死容積は、流体の搬送が遅くなる毛管作用停止をもたらす可能性がある。従って、毛細管の全長にわたって一定の流体流れを保証するために、そのような死容積を防止し、又は少なくともそれを可能な限り小さく保つことが望ましい。
【００６９】
好ましくは、チューブ２５から接続要素への移行部における（最も広い／最大の）流れ区域は、接続要素及び／又はチューブの（最小又は最大の）流れ区域に少なくとも本質的に等しい及び／又はその１２０％よりも大きくない。
【００７０】
特に、チューブから接続要素への移行部における（最も広い／最大の）流れ区域の直径は、チューブ及び／又は接続要素の外径よりも小さい。
【００７１】
このようにして、チューブから接続要素への移行部における流れ損失が低減される。特に、チューブから接続要素への移行部における泡形成を低減することができ、及び／又はチューブと接続要素の両方で毛管作用を途切れることなく使用することができる。
【００７２】
独立に実施することもできる本発明の別の態様により、カートリッジは、貫通可能又は破断可能な膜又は密封壁を含む。膜又は密封壁は、閉鎖部、特に接続ポート内に一体化されるか又は配置されることが好ましい。膜又は密封壁は、ネブライザに接続される又はそれに挿入される前のカートリッジの状態として理解すべき出荷状態では、カートリッジ、特に容器又はそこに含有される流体は、環境から密封されることが好ましい。
【００７３】
密封壁は、カートリッジがネブライザに挿入される又はネブライザの送出機構に接続される時に、ネブライザの接続要素によって貫通される又は破断されるようになっていることが好ましい。それにより、カートリッジからの流体の漏出及び／又は流体の汚染が有利に防止される。
【００７４】
膜又は密封壁は、閉鎖部又は接続ポートと一体的に形成される又はそれらとのワンピースとして形成されることが好ましい。特に好ましくは、膜又は密封壁は、厚みの薄い円周部分とフィルムヒンジとを含み、円周部分とフィルムヒンジのいずれも、閉鎖部又は接続ポートと一体的に形成される。
【００７５】
好ましくは、接続要素が接続ポートに挿入される時に、膜又は密封壁は、円周部分に沿って断裂又は破断し、フィルムヒンジによって脇に傾く又はヒンジ回転する。特に、破断した後も、膜又は密封壁は、フィルムヒンジを通して閉鎖部又は接続ポートに結合されたままである。それにより、膜又は密封壁は、チューブ、接続要素、及び／又は送出機構を閉塞又は遮断せず、定められたかつ再現可能な方式で開く又は破断することが保証される。
【００７６】
好ましくは、膜又は密封壁は、特にフィルムヒンジによって形成されて閉鎖部又は接続ポートを膜又は密封壁の中心と接続する肉厚の接続部分を更に含む。
【００７７】
特に好ましくは、閉鎖部又は接続ポートと膜又は密封壁とは、射出成形によりワンピースとして形成される。この場合に、接続部分又はフィルムヒンジは、成形材料が密封壁の中心に入り込み、それによって特に薄い円周部分を超える必要なく密封壁を形成することができるブリッジ又は追加接続部部を形成することが好ましい。それによって有利なことに、閉鎖部又は接続ポートを一体型フィルム又は密封壁と共に射出成形する工程が可能になる又は簡略化される。これは、費用効果の高いカートリッジの製造に寄与する。
【００７８】
独立に実施することもできる本発明の別の態様により、カートリッジは、特に半径方向に接続要素を密封するようになっている。閉鎖部、特に接続ポートは、接続要素を液密及び／又は気密に取り囲む又は密封するようになっていることが好ましい。特に、閉鎖部又は接続ポートは、少なくとも部分的に延伸性又は可撓性であるとすることができる。好ましくは剛性の接続要素がカートリッジに挿入される時に、閉鎖部又は接続ポートは、離れるように延伸する及び／又は接続要素と圧入／緊密嵌合接続を形成することが好ましい。
【００７９】
独立に実施することもできる本発明の別の態様により、カートリッジは、閉鎖部又は接続ポートとカートリッジの容器の間に密封要素を含む。密封要素は、容器を軸線方向及び／又は半径方向に密封することが好ましい。そのような密封は、閉鎖部／接続ポートと容器の間の密封要素の圧入／緊密嵌合によって達成されることが好ましい。
【００８０】
好ましくは、密封要素は、容器の内部に延び、及び／又は特に接続ポートについて上述したものと類似の方法で圧入／緊密嵌合により、接続要素を密封的に受け入れるようになっている。特に、接続要素は、接続ポートを貫通した後で密封要素によって密封的に受け入れられる。
【００８１】
接続要素と密封要素間の密封は、接続要素と接続ポート間の密封に代えて又は加えて設けることができる。特に好ましくは、接続要素は、接続ポートと密封要素の両方によって密封される又は密封的に受け入れられる。この場合に、好ましくは、最初に接続ポートとの密封が形成又は確立され、かつ接続要素又はその軸線方向端部が接続ポートを貫通した後で密封要素との密封が形成又は確立される。
【００８２】
カートリッジ又は閉鎖部は、任意的に、特にチューブを閉鎖部又は接続ポートに接続するためのアダプタを含むことができる。接続要素と接続ポート及び／又は密封要素との間の密封に代えて又は加えて、アダプタと接続要素の間には、特に接続ポートについて上述したものと同じ方式で圧入／緊密嵌合によって密封を設けることができる。特に好ましい実施形態では、密封要素は、アダプタを含む、形成する、又はその一部を形成する、又はその逆である。
【００８３】
上記及び下記に説明する本発明の態様は、互いに独立に及びあらゆる組合せで実現することができる。
【００８４】
本発明の更に別の利点、特徴、特性、及び態様は、特許請求の範囲及び図面を参照する好ましい実施形態の以下の説明から明らかになるであろう。
【図面の簡単な説明】
【００８５】
【図１】非引張状態にある公知のネブライザの概略断面図である。
【図２】引張状態にある公知のネブライザの図１と比べて９０°回転させた概略断面図である。
【図３】本発明の第１の実施形態によるカートリッジの概略断面図である。
【図４】部分的に示すネブライザに接続した図３によるカートリッジの概略断面図である。
【図５】水平姿勢に回転させた図４によるカートリッジの概略断面図である。
【図６】上下逆さまに回転させた図４によるカートリッジの概略断面図である。
【図７】部分的に示すネブライザに接続した接続ポートから離れるように移動した図３によるカートリッジのチューブの拡大図である。
【図８】本発明の第２の実施形態によるカートリッジの概略断面図である。
【図９】図８によるカートリッジの図式詳細図である。
【図１０】部分的に示すネブライザに接続した本発明の第３の実施形態によるカートリッジの概略断面図である。
【図１１】図１０によるカートリッジの図式詳細図である。
【図１２】第３の実施形態によるカートリッジの更に別の図式詳細図である。
【図１３】本発明の第４の実施形態による螺旋形状チューブを有するカートリッジの概略図である。
【図１４】より高い充填レベルの流体を有する図１３によるカートリッジの概略図である。
【図１５】追加の浸漬要素を有する図１３によるカートリッジの概略図である。
【図１６】二重円錐螺旋として成形されたチューブを有する図１３によるカートリッジの変形の概略図である。
【図１７】円錐螺旋として成形されたチューブを有する図１３によるカートリッジの別の変形の概略図である。
【図１８】上下逆さまに回転させて部分的に示すネブライザに接続した図３によるカートリッジの概略断面図である。
【図１９】本発明の第５の実施形態によるカートリッジの概略図である。
【図２０】本発明の第６の実施形態によるカートリッジの概略断面図である。
【図２１】第７の実施形態による閉じた膜又は密封壁を有するカートリッジの概略断面図である。
【図２２】部分的に示すネブライザに接続した第７の実施形態による開いた膜又は密封壁を有するカートリッジの概略断面図である。
【図２３】第７の実施形態によるカートリッジの斜視詳細図である。
【発明を実施するための形態】
【００８６】
図面では、同一又は類似の部品に関して同じ番号を使用し、関連する説明を繰り返さない場合でも、好ましくは、対応する又は相当する特性及び利点をもたらす。
【００８７】
図１及び図２は、流体２、特に医薬組成物又は薬剤などを霧状化する／噴霧化する／分注するための公知のネブライザ／分注デバイス１を示し、非引張状態（図１）及び引張状態（図２）で概略的に示している。
【００８８】
流体２は好ましくは極性であり、及び／又は電気双極子モーメントを含む。特に、流体２は水性又はアルコール性であり、及び／又は水溶液又はアルコール溶液を含み、及び／又は溶媒として水又はアルコール、特にエタノールを含む。
【００８９】
ネブライザ１は、流体２又はその投与量を分注する及び／又は噴霧化するようになっていることが好ましい。
【００９０】
流体２、好ましくは液体、特に医薬成分が噴霧化／分注された状態で、エアロゾルＡ（図１に点線に示す）が形成又は分注されることが好ましく、ユーザ（図示せず）はそれを吸い込む又は吸入することができる。
【００９１】
通常、その吸入は、患者が患っている苦痛又は病気に応じて少なくとも１日に１回、特に１日に数回、好ましくは設定された間隔で行われる。
【００９２】
ネブライザ１は、特に携帯吸入器として構成され、及び／又は好ましくはただ単に機械的に及び／又は噴射剤／ガスなしで作動する。それにも関わらず、他の構成も同様に可能である。
【００９３】
ネブライザ１は、流体２を含有する挿入可能又は交換可能カートリッジ３を有する又は含む又は受け入れるようになっている。従って、カートリッジ３は、噴霧化／分注されることになる流体２のためのリザーバを形成する。
【００９４】
図１及び２は、模式的に示したカートリッジ３を有する公知のネブライザ１を示し、図３〜２２は、本発明によるカートリッジ３又はその各部分を示している。好ましくは、図１及び図２に関して説明する一部の特徴、特性、及び態様は、図３〜２２に関して説明するカートリッジ３に当て嵌まるものとすることができ、すなわち、図３〜２２によるカートリッジ３は、図１及び図２によるカートリッジ３の一部の特徴、特性、及び態様を含むことができる。特に、図３〜２２に関して説明するカートリッジ３は、図１及び図２に関して説明するネブライザ１と共に使用することができる。
【００９５】
以下では、図１及び２による公知のカートリッジ３を説明する。
【００９６】
好ましくは、カートリッジ３は、流体の複数投与量２、特に、少なくとも１００又は１５０及び／又は２００に至るまで又はそれを超える投与単位又は投与量を提供し、すなわち、少なくとも１００回及び／又は２００回に至るまでの噴霧又は適用を可能にするのに十分な流体２を含有する。
【００９７】
カートリッジ３は、好ましくは約０．５ｍｌ〜３０ｍｌ、特に好ましくは約４ｍｌ〜２０ｍｌの容積を維持する。更に、カートリッジ３に含有される投与量の数及び／又はカートリッジ３に含有される流体２の全容積は、流体２又は個々の薬剤に応じて、及び／又はカートリッジ３に応じて、及び／又は必要な薬物治療などに応じて変わる場合がある。
【００９８】
好ましくは、ネブライザ１は、ネブライザ１の１回の作動／使用内に、及び／又は１回の噴霧／エアロゾル送出／分注内に１μｌ〜８０μｌの投与量、より好ましくは５μｌ〜２０μｌ、又は代わりに２０μｌ超、特に約５０μｌの投与量を噴霧化／分注するようになっている。
【００９９】
好ましくは、カートリッジ３は、特にＷＯ  ２０１２／１６２３０５  Ａ１に開示するように取り替える又は交換することができる。好ましくは、ネブライザ１の総使用回数及び従って同じネブライザ１と共に使用することができるカートリッジ３の数は、例えば、総数で４、５、又は６個までのカートリッジ３に好ましくは制限される。ＷＯ  ２０１２／１６２３０５  Ａ１は、同じネブライザ１と共に使用することができるカートリッジ３の総数に対するそのような制限を開示している。
【０１００】
カートリッジ３、特に容器４は、実質的に円筒形又はカートリッジ形状及び／又は剛性構成であることが好ましい。それにも関わらず、他の構成的ソリューションも同様に可能である。特に、カートリッジ３又は容器４は、少なくとも部分的に球形とすることができる。
【０１０１】
ネブライザ１が開放された状態で、カートリッジ３をその中に好ましくは下から挿入し、望ましい場合に交換することができることが好ましい。
【０１０２】
公知のネブライザ１との組合せで公知のカートリッジ３は、好ましくは剛性の容器４、及び／又は流体２を含有する任意的な好ましくは可撓性／圧潰性のバッグ５を含み、好ましくはその任意的なバッグ５は、容器４内に配置又は維持される。
【０１０３】
任意的に、カートリッジ３は、好ましくは剛性であり、及び／又は金属、特にアルミニウムで製造されたハウジング３３を更に含むことができる。そのようなハウジングの特定の実施形態は、本発明の開示の第７の実施形態による図２１及び２２に関連してより詳細に説明する。
【０１０４】
好ましくは、公知のネブライザ１との組合せで公知のカートリッジ３は、ＷＯ  ９６／０６０１１  Ａ２及び／又はＷＯ  ００／４９９８８  Ａ２に説明されているように構成される。
【０１０５】
任意的に、カートリッジ３、特に容器４は、好ましくは容器４からの流体２の引き出しを可能にする又はサポートするために、カートリッジ３、特に容器４の換気／通気のためのバルブ、開口部、又は孔のような換気部／通気部６を含む。
【０１０６】
好ましくは、換気部６は、容器４の内部とその周囲及び／又は環境の間に直接的又は間接的なガス接続を形成し、及び／又は容器４の内部とその周囲及び／又は環境との間で圧力補償を可能にする。
【０１０７】
換気部６が開いていると、空気又はあらゆる他のガスが換気部６を通って容器４に流入することができるので、容器４の内部とその周囲の間の圧力補償が可能であるか又は達成される。特に、流体２を引き出す及び／又は任意的なバッグ５を圧潰する時に、負の空気圧を回避する又は少なくとも補償することができる。
【０１０８】
図１、２、及び２０は間接ガス接続を示し、図３〜６、図８、図１０、及び図１３〜１８は直接ガス接続を示している。
【０１０９】
間接ガス接続は、バッグ５を圧潰することができるように、容器４の内部とその周囲の間の圧力補償を可能にする。換気部６を通って容器４内に流入する空気は、バッグ５に含有されている流体２と直接的には接触しない。
【０１１０】
間接ガス接続とは対照的に、図３〜６、図８、図１０、及び図１３〜１８に示すような直接ガス接続は、空気が容器４内に流入し、容器４に含有された流体２と直接的に接触することを可能にする。
【０１１１】
少なくとも直接ガス接続の場合に、流体２が空気又はあらゆる他のガスの不純物又は異物によって汚染されないように、換気部６は滅菌フィルタを含むことが好ましい。間接ガス接続の場合に、ガスは流体２と直接的に接触せず、滅菌フィルタを省くことができる。しかし、間接ガス接続に対して換気部６に滅菌フィルタを設けることも可能である。
【０１１２】
好ましくは、換気部６は、自動的に及び／又はネブライザ１の初回使用前に又は初回使用中に開く。
【０１１３】
これに代えて、カートリッジ３、特に容器４は、例えば、噴射剤／ガスを使用して、好ましくは２ＭＰａ又は３ＭＰａを超える及び／又は１０ＭＰａ又は８ＭＰａ未満の圧力で加圧されるので、特に換気／通気を省くことができ、及び／又は流体２の投与量の送出毎にカートリッジ３又は容器４内の圧力が低下する。
【０１１４】
カートリッジ３は、好ましくは閉鎖される／又は密封される及び／又は好ましくは閉鎖部７を含み、その場合に、閉鎖部７は容器４及び／又はバッグ５を特に気密及び／又は液密の方式で閉鎖する及び／又は密封するようになっていることが好ましい。
【０１１５】
任意的に、換気部６は、ＷＯ  ２００６／１３６４２６  Ａ１、例えば、９頁２０行から１４頁２号までに説明されているように、閉鎖部７に一体化される及び／又は閉鎖部７と共に開放される。
【０１１６】
そのような実施形態では、細い管路のような換気部６は、好ましくは閉鎖部７を開ける／貫通することによって開放され／生成され、特に換気部６を通じた圧力補償は流体２がそこを通って漏出することなく行われる。
【０１１７】
カートリッジ３、特に閉鎖部７は、好ましくは貫通可能なシール８、及び／又は好ましくは可撓性、特に漏斗形状及び／又は円錐形状の接続ポート／アダプタ９を含むことが好ましい。
【０１１８】
シール８が図３に概略的に示されており、この図では、本発明の第１の実施形態によるカートリッジ３は閉鎖／未貫通の状態にある。シール８は、更に、本発明の第７の実施形態による閉鎖／未貫通の状態の図２１と開放／貫通の状態の図２２とに概略的に示されている。図２３は、第７の実施形態によるシール８の詳細を示している。
【０１１９】
シール８は、少なくともカートリッジ３がネブライザ１に挿入される前に、好ましくは容器４及び／又は接続ポート９を覆う又は密封する。
【０１２０】
好ましくは、シール８は、ホイル８Ａ、及び／又は膜又は密封壁３１、特にダイヤフラム又はセプタムとして具現化することができ、最も好ましくはその場合にホイル８Ａは接続ポート９及び／又は膜又は密封壁３１を覆う又は接続ポート９内に一体化／配置される。
【０１２１】
膜又は密封壁３１の好ましい構成は、図２１〜２３に関連してより詳細に後述する。
【０１２２】
図３及び図２１、２２に示すカートリッジ３は、ホイル８Ａと膜又は密封壁３１の両方を含み、好ましくはその場合にカートリッジ３が吸入器１に挿入及び接続される時に吸入器１の接続要素１４がホイル８Ａと膜又は密封壁３１の両方を貫通する又は破断／開放する。
【０１２３】
カートリッジ３は、容器４と閉鎖部７の間に（更に別の）シーリングＳ１を含むことが好ましい。図３〜８、図１０、及び図２０において、このシーリングＳ１は、例えば、容器４と閉鎖部７の間に位置付けられる密封リングの形態の密封要素３２として示される。特に、シーリングＳ１及び／又は密封要素３２は、カートリッジ３を軸線方向に密封する。しかし、ここでは他のソリューションも可能であり、特に好ましくは、図２１及び２２に示すようなシーリングＳ１又は密封要素３２であり、これについては、本発明の第７の実施形態に関連して以下でより詳細に説明する。
【０１２４】
ネブライザ１は、特に事前設定の投与量で、任意的に調節可能な投与量で流体２を引き出す、加圧する、搬送する、及び／又は噴霧化／分注するために、好ましくは送出／加圧機構１０、好ましくは圧力発生器又はポンプを含む。
【０１２５】
特に、送出機構１０は、好ましくはネブライザ１を起動する又は引張する又は負荷を与える時に、カートリッジ３から、特に容器４及び／又はバッグ５から流体２、すなわち、流体の投与量２を引き出す又は吸い込む。続いて、引き出された流体２又は流体の投与量２は、好ましくは、初期の引張中に蓄えられた機械的エネルギが放出される第２の段階において分注され、特に加圧され、及び／又は噴霧化される。
【０１２６】
特に、ネブライザ１は、負荷過程又は引張過程中に負荷を与えられる（好ましくは引張られる）エネルギストア（好ましくは駆動バネ１２）を含み、このエネルギは、ネブライザ１の中に引き込まれた流体２又は流体の投与量２を噴霧化するために放出される。従って、ネブライザ１の通常使用は、負荷過程と分注過程とを包含する。
【０１２７】
ネブライザ１又は送出機構１０は、好ましくは、カートリッジ３を維持するためのホルダ１１、ホルダ１１に関連付けられた駆動バネ１２（部分的に図１及び図２に示す）、及び／又は好ましくは手動作動又は押下げのための好ましくはボタン形態の又はボタンを有する閉塞要素１３を含む。
【０１２８】
閉塞要素１３は、好ましくは、ホルダ１１を捕捉して塞ぐことができ、及び／又は手動で作動させてホルダ１１を解除し、駆動バネ１２が伸びることを可能にする。
【０１２９】
ネブライザ１又は送出機構１０は、好ましくは、搬送チューブのような搬送／接続要素１４、逆止バルブ１５、圧カチャンバ１６、流体２を噴霧化するノズル１７、及び／又はマウスピース１８を含む。
【０１３０】
完全に挿入されたカートリッジ３、好ましくはその閉鎖部７は、ホルダ１１を通してネブライザ１に好ましくは形状適合的に、特に接続要素１４が容器４及び／又はバッグ５をネブライザ１又は送出機構１０に流体接続するように固定又は維持される。
【０１３１】
好ましくは、カートリッジ３をネブライザ１に挿入する時に、及び／又はカートリッジ３を送出機構１０に接続する時に、接続要素１４は、容器４及び／又はバッグ５に貫通し、及び／又は少なくとも部分的にシール８を貫通する又は破断し、及び／又は特に緊密嵌合方式で接続ポート９によって密封的に受け入れられ、特に好ましくは接続ポート９と接続要素１４の間にシーリングＳ２を形成する。
【０１３２】
特に、カートリッジ３は、接続要素１４のために、好ましくは閉鎖部７内に又は閉鎖部７によって形成される、挿入開口部を有する、又は形成する。その開口部は、好ましくは漏斗状の第１の部分と好ましくは円筒形の第２の部分とを含む。第１の部分は、好ましくは第２の部分に向けて先細になる。特に、第２の部分は少なくとも本質的に一定の直径を有し、これは好ましくは接続要素１４の直径に対応する。この開口部は、特にシール８により、最初は覆われるか又は閉じられるものとすることができる。
【０１３３】
第１の部分は、接続要素１４を第２の部分に位置合わせする及び／又は案内することができるように構成されることが好ましい。
【０１３４】
第２の部分は、接続要素１４の外径よりも（僅かに）小さい直径を有することが好ましい。特に、接続要素１４を受け入れる時に、第２の部分は撓み／延伸して接続要素１４を取り囲む。
【０１３５】
このようにして、シーリングＳ２は、圧入／緊密嵌合によって接続要素１４と第２の部分の間に特に少なくとも本質的に第２の部分全体を通して形成される。更に、カートリッジ３又は閉鎖部７は、接続要素１４の半径方向長さの公差を補償するようになっていることが好ましい。
【０１３６】
好ましくは、接続要素１４は、細長い中空円筒、特にニードルとして構成され、及び／又は先細／鋭い端部を含む。
【０１３７】
好ましくは、接続要素１４は剛性であり、特に金属で、最も好ましくはステンレス鋼で製造され、及び／又はシール８、特にホイル８Ａ及び／又は膜又は密封壁３１を貫通又は破断するようになっている。
【０１３８】
最も好ましくは、接続要素１４は、毛細管として特に１ｍｍ又は０．８ｍｍ未満、最も好ましくは０．７ｍｍ又は０．５ｍｍ未満、及び／又は０．１ｍｍ又は０．２ｍｍを超える内径を有する毛細管として構成される。しかし、内径はあまりに小さい寸法にすべきではなく、それは接続要素１４内で達成することができる流量を低減するからである。
【０１３９】
ネブライザ１、特にホルダ１１は、カートリッジ３を解除又は交換することができるように構成されることが好ましい。
【０１４０】
駆動バネ１２が引張過程で又は起動中に軸線方向に引張られると、ホルダ１１、カートリッジ３及び接続要素１４は、下方に及び／又はカートリッジ３のベースに向けて移動する。
【０１４１】
接続要素１４の下方への及び／又はカートリッジ３のベースへの移動により、圧力チャンバ１６の容積が拡大し、及び／又は圧力チャンバ１６内の圧力が減少するので、特に流体２は、容器４及び／又はバッグ５から接続要素１４を通して送出機構１０の中に、特に逆止バルブ１５を通って圧力チャンバ１６の中に引き出されるか又は吸い込まれる。この状態では、ホルダ１１は閉塞要素１３に捕捉されているので、駆動バネ１２は圧縮されたままである。引き続き、ネブライザ１は起動状態又は引張状態にある。
【０１４２】
分注／噴霧化過程におけるその後の弛緩中に、すなわち、閉塞要素１３の作動又は押下げの後に、接続要素１４は、この時点で閉じられたその逆止バルブ１５と共に、図１及び図２の圧力チャンバ１６に向けて上方に戻り、それにより圧力チャンバ１６の容積が減少する。閉鎖部中の逆止バルブ１５に起因して、圧力チャンバ１６内の流体２又はその投与量が圧力下に置かれる。従って、この状態では、逆止バルブ１５は加圧ラム又はピストンとして機能する。
【０１４３】
このようにして生成された圧力により、流体２又はその投与量は、ノズル１７を通過した状態で、図１に点線に示すようにエアロゾルＡに噴霧化される。
【０１４４】
一般的に、ネブライザ１は、流体に対するバネ圧力が５ＭＰａ〜３００ＭＰａ、好ましくは１０ＭＰａ〜２５０ＭＰａの状態で、及び／又は１ストローク当たり送出される流体２の容積が１０μｌ〜５０μｌ、好ましくは１０μｌ〜２０μｌ、特に約１５μｌの状態で作動する。これに代えて、ネブライザ１は、１ストローク当たり送出される流体２の容積が２０μｌを超える、特に約４０又は５０μｌの状態で作動する。
【０１４５】
流体２は、エアロゾル１４に変換され、又はエアロゾル１４として噴霧化され、その液滴は、最大２０μｍ、好ましくは３μｍ〜１０μｍの空気力学的直径を有する。
【０１４６】
好ましくは、発生するジェット噴霧は円錐形状である及び／又は２０°〜１６０°、好ましくは８０°〜１００°の開口角を有する。
【０１４７】
ユーザ又は患者（図示せず）は、このようにして生成されたエアロゾルＡを好ましくは少なくとも１つの任意的な空気供給開口部１９を通してマウスピース１８に空気を吸引可能な間に吸入することができる。
【０１４８】
ネブライザ１は、上側ハウジング部品２１、下側ハウジング部品２２、及び／又は内側ハウジング部品２３を有するハウジング２０を含むことが好ましい。
【０１４９】
内側ハウジング部品２３及び／又は下側ハウジング部品２２は、上側ハウジング部品２１に対して回転可能であることが好ましい。特に、下側ハウジング部品２２は手動で作動可能であり、及び／又は好ましくは維持要素により、内側ハウジング部品２３に着脱可能に固定され、特に装着又は保持される。
【０１５０】
カートリッジ３を挿入する及び／又は取り替えるために、ハウジング２０を開放することができ、及び／又は下側ハウジング部品２２をネブライザ１から、特に内側ハウジング部品２３から取り外すことができる。
【０１５１】
好ましくは、カートリッジ３は、ハウジング２０を閉じる前に及び／又は下側ハウジング部品２２を内側ハウジング部品２３又は上側ハウジング部品２１に接続する前に挿入されるものとすることができる。これに代えて、カートリッジ３は、下側ハウジング部品２２を上側ハウジング部品２１及び／又は内側ハウジング部品２３に接続する時に、及び／又はハウジング２０又はネブライザ１を（完全に）閉じる時に、自動的に又は同時に挿入され、開けられ、及び／又は送出機構１０に流体接続されるものとすることができる。
【０１５２】
下側ハウジング部品２２は、好ましくはキャップ状の下側ハウジング部品を形成し、及び／又はカートリッジ３の下側自由端の周りに又はその上に嵌まる。
【０１５３】
好ましくは、ネブライザ１又は駆動バネ１２を手動で、特に作動部材の作動又は回転により、ここでは好ましくは下側ハウジング部品２２又はあらゆる他の構成要素の回転により、作動させるか又は引張るか又は負荷を与えることができる。
【０１５４】
作動部材、好ましくは下側ハウジング部品２２を作動させ、ここでは上側ハウジング部品２１に対して回転させて、内側ハウジング部品２３を下側ハウジング部品２３と共に運ぶ又は内側ハウジング部品２３を駆動することができる。
【０１５５】
内側ハウジング部品２３はギア又はトランスミッションに作用して、回転をホルダ１１及びカートリッジ３の軸線方向運動に変換する。その結果、駆動バネ１２は、内側ハウジング部品２３とホルダ１１の間の形成されたギア又はトランスミッション（図示せず）によって軸線方向に引張られる。
【０１５６】
張力を付与する間、カートリッジ３及びホルダ１１は、図２に示すようにカートリッジ３が端部位置を占めるか又は取るまで軸線方向下方に移動する。この作動状態又は引張状態では、駆動バネ１２は張力下にあり、閉塞要素１３によって捕捉されるか又は維持されるものとすることができる。
【０１５７】
噴霧化過程中に、カートリッジは、張力を付与された駆動バネ１２（の力）によってその元の位置（図１に示す非引張状態）に戻される。従って、カートリッジ３は、引張過程中と噴霧化過程中に昇降又はストローク移動を行う。
【０１５８】
駆動バネ１２が引張られる時に、カートリッジ３は、その端部と共に下側ハウジング部品２２の中に又はその端面に向けて移動する。
【０１５９】
下側ハウジング部品２２に配置された貫通要素２４のような通気手段は、カートリッジ３が初めてそれと接触した時に、カートリッジ３、好ましくは容器４、特に換気部６を開放又は貫通することが好ましい。このようにして、空気がカートリッジ３、特に容器４に流入することができ、ネブライザ１の引張中に、流体２がカートリッジ３から引き出される時に圧力補償を行うことができる。上述のように、特に任意的なバッグ５を省く場合に、他の構成的ソリューションも同様に可能である。そのような実施形態は、図３から図１９に関して以下に説明する。
【０１６０】
図３〜２３に示す様々な実施形態による特に図３〜７に示す第１の実施形態によるカートリッジ３は、好ましくはチューブ２５を含み、特に、容器４からの及び／又は送出機構１０又は接続要素１４に向う流体２の吸引及び／又は搬送のために特に好ましい毛細管／浸漬チューブ／搬送チューブを含む。
【０１６１】
チューブ２５は、好ましくは細長い中空円筒又は毛細管として構成される。
【０１６２】
好ましくは、チューブ２５は、第１の軸線方向端部又は固定端部２５Ａと第２の軸線方向端部又は自由端２５Ｂとを含み、好ましくは、第１の軸線方向端部又は固定端部２５Ａは閉鎖部７又は接続ポート９に固定され／取り付けられ、及び／又は第２の軸線方向端部又は自由端２５Ｂは、以下でより詳細に説明するように容器４内で自由に移動可能である。
【０１６３】
特に、チューブ２５又は固定端部２５Ａは、閉鎖部７又は接続ポート９に直接的に又は間接的に接続される。
【０１６４】
図３〜１９に示す実施形態は、可撓性／圧潰性のバッグ５を含まないことが好ましく、それは、特にバッグ５がチューブ２５と干渉し、及び／又は容器４内で自由に移動するその機能を制限するためである。それにも関わらず、図３〜１９に示す実施形態も、図１、２、及び２０に関して説明するようなバッグ５を組み込むことができる。
【０１６５】
チューブ２５は、好ましくは完全に容器４内に配置され、及び／又は好ましくは完全に容器４の中に延びる。
【０１６６】
好ましくは、チューブ２５、特にその固定端部２５Ａは、好ましくは任意的なアダプタ２６を通して、閉鎖部７又は接続ポート９に、好ましくは嵌合又は圧力嵌めの方式で及び／又は接着により、機械的及び／又は流体的に接続される。
【０１６７】
好ましくは、アダプタ２６は、チューブ２５、すなわち、その固定端部２５Ａを好ましくは嵌合及び／又は圧力嵌めの方式で及び／又は接着によって閉鎖部７の接続ポート９に接続する。
【０１６８】
特に、閉鎖部７はアダプタ２６を含むことができる。
【０１６９】
図３〜７に示す実施形態では、アダプタ２６とチューブ２５は一体に形成されることが好ましい。最も好ましくは、チューブ２５、特にその固定端２５Ａは、閉鎖部７の方向に向けて外に延びる、及び／又は（それにより）アダプタ２６を形成する。それにも関わらず、他のソリューションも同様に可能であり、特に、図８及び図９に示す第２の実施形態、及び図２１〜２３に示す第７の実施形態に関連して説明するように、アダプタ２６が別部品として形成される場合がある。
【０１７０】
好ましくは、アダプタ２６は、漏斗形状及び／又は円錐形状であり、及び／又は接続ポート９に取り付けられる。特に、アダプタ２６は可撓性であり、及び／又は接続ポート９及び／又は接続要素１４、特にその軸線方向端部を最も好ましくは圧入／緊密嵌合の方式で密封的に受け入れるようになっている。特に好ましくは、シーリングＳ３とＳ４は、アダプタ２６と接続要素１４又は接続ポート９の間にそれぞれ形成される。
【０１７１】
好ましくは、アダプタ２６は、チューブ２５と接続ポート９の間、及び／又はチューブ２５と接続要素１４の間に、特にその軸線方向端部及び／又は外縁にシールを形成する。特に、アダプタ２６は、チューブ２５を液密及び／又は気密の方式で接続ポート９及び／又は接続要素１４に接続するようになっている。
【０１７２】
好ましくは、接続ポート９及び／又はアダプタ２６は、接続要素１４の長さ公差を補償するようになっており、及び／又は図４〜７、図２１、及び図２２に関して以下で更に説明するように、異なる長さの接続要素１４を密封的に受け入れるための補償領域を含む。
【０１７３】
これに代えて、チューブ２５は、接続ポート９によって形成され、及び／又は接続ポート９上に成形される。そのような実施形態では、接続ポート９とチューブ２５は、好ましくは一体に形成され、特に接続ポート９は、チューブ２５に向けて、特に連続的に先細になる。
【０１７４】
好ましくは、チューブ２５、少なくともその固定端部２５Ａは、容器４の中心区域に（剛的に）維持又は固定される。特に、閉鎖部７又は接続ポート９は、好ましくは容器４の中心区域において、チューブ２５、特に固定端部２５Ａに向けて融合する／先細になる。
【０１７５】
好ましくは、閉鎖部７又は接続ポート９は、チューブ２５が容器４の中心区域に維持されるように容器４内に延びる、及び／又は接続ポート９が容器４の中心区域においてチューブ２５に向けて融合する／先細になる。
【０１７６】
好ましくは、チューブ２５は容器４よりも短く、すなわち、その長さは容器４の高さよりも短く、特に全体の／一杯に伸びたチューブ２５を容器４内に配置することができるようにする。
【０１７７】
特に、チューブ２５は、伸びた状態でチューブ２５、すなわち、その自由端２５Ｂが非接触であり、及び／又は容器４の壁又は底に達しないか又はほとんど達しないように、容器４内に位置決めされる及び／又は維持される。それにより、チューブ２５と容器４の間の干渉のリスク及び従ってその移動制限が低減される。
【０１７８】
好ましくは、チューブ２５は、容器４の高さよりも短いが容器４の高さの半分よりも長い長さを有する。
【０１７９】
好ましくは、チューブ２５は、１００ｍｍ又は８０ｍｍ未満、特に７０ｍｍ又は６０ｍｍ未満、及び／又は５ｍｍ又は１０ｍｍを超える、特に１５ｍｍ又は２０ｍｍを超える長さを有する。
【０１８０】
チューブ２５の長さは、好ましくはチューブ２５の固定端部２５Ａから自由端２５Ｂまでの距離として、及び／又は一定の内径及び／又は外径及び／又は一定の壁厚を有するチューブ２５のセクションの長さとして定められる。
【０１８１】
上述のように、チューブ２５は、特に、毛管作用に起因して、流体２が自動的にチューブ２５に引き込まれるように、好ましくはチューブ２５が毛管作用に起因して流体２で重くなるように毛細管として構成されることが好ましい。最も好ましくは、毛細管としての構成とチューブ２５の湿潤性の両方により、以下で更に説明するように、好ましくはカートリッジ３の空間方位とは独立に流体２内でチューブ２５の浸漬が生じる。
【０１８２】
毛管作用は、毛細管面の湿潤性及び／又は毛細管面への流体の接着性に起因して流体、すなわち、液体が狭い空間、すなわち、毛細管内を重力に逆らってさえも流動する機能である。
【０１８３】
垂直方向に位置合わせされた毛細管内の液柱によって生じる重力ＦGは、以下のように説明することができる：
ＦG＝ｍ×ｇ＝πｒ2ｈρｇ
ここで、ｍは液柱の質量であり、ｒは毛細管の（内側）半径であり、ｈは毛細管外側の流体面／レベルを超えた液柱の高さ／レベルであり、ρは液体の密度であり、ｇは重力加速度である。
【０１８４】
毛細管面の表面張力σSと、毛細管面と液体間の表面張力σSFとによって生じる力Ｆは、液体の表面張力σFと、液体と毛細管面間の接触角Θとに関連し、上述のヤングの式で説明することができる：
Ｆ＝［σS−σSF］×２πｒ＝ｃｏｓ（Θ）σF×２πｒ
【０１８５】
静止状態では、力ＦGは力Ｆに等しい。従って、液柱の高さｈは、式（ジュランの法則としても公知）によって説明することができる：
ｈ＝２［σS−σSF］／［ｒρｇ］＝２ｃｏｓ（Θ）σF／［ｒρｇ］
【０１８６】
毛細管内の流体／液体柱の高さｈは、毛細管面の表面張力σS、すなわち、項｜σS−σSF｜又はｃｏｓ（Θ）σFを増大することにより、及び／又は毛細管の半径ｒを低減することによって増加するということが当て嵌まる。
【０１８７】
好ましくは、チューブ２５の流れ区域、特に内径は、接続要素１４の流れ区域及び／又は内径に対応する及び／又は一致する。
【０１８８】
好ましくはチューブ２５の内径は、接続要素１４の内径よりも小さく、又は特に好ましくはそれと同じである。特に、チューブ２５から接続要素１４への移行部における毛管作用停止は、このようにして最小にされるか又は防止される。
【０１８９】
好ましくは、チューブ２５の（最小）内径は、１ｍｍ未満又は０．８ｍｍ未満、特に０．７ｍｍ未満又は０．５ｍｍ未満であり、及び／又は０．１ｍｍを超えるか又は０．２ｍｍを超える。しかし、チューブ２５の内径は、あまりに小さい寸法にすべきではなく、それはチューブ２５内の流量を低減するからである。
【０１９０】
好ましくは、チューブ２５の内径に対する長さの比は、１０又は２０を超える及び／又は１００又は８０未満である。
【０１９１】
好ましくは、毛管作用によって生じるチューブ２５内の流体／液体柱の高さは、チューブ２５の長さの少なくとも２０％又は４０％、特に５０％又は８０％である。
【０１９２】
毛管作用に起因して、カートリッジ３から流体の投与量２を引き出すのに必要なエネルギが減少する。更に、チューブ２５は、チューブ２５内に吸引された流体２の重量で重くなる。
【０１９３】
好ましくは、チューブ２５の壁厚は、１ｍｍ又は０．８ｍｍ未満、特に０．７ｍｍ又は０．６ｍｍ未満、特に好ましくは０．４ｍｍ又は０．３ｍｍ未満であり、及び／又は０．０５ｍｍ又は０．１ｍｍを超える、特に０．１２ｍｍ又は０．１４ｍｍを超える。
【０１９４】
チューブ２５は、少なくとも部分的に可撓性及び／又は曲げ可能及び／又はキンク耐性があり、特に、少なくともその最小曲げ半径を超えて曲げた場合に、キンクすることなく容器４又はバッグ５内でチューブ２５を曲げることができるようにする。
【０１９５】
好ましくは、カートリッジ３は、図６に例示的に示すように、チューブ２５が過度の屈曲からチューブ２５をから保護し、及び／又はチューブ２５のキンクを防止する抗キンクデバイス２６Ａを含む。抗キンクデバイス２６Ａは、好ましくは、閉鎖部７、接続ポート９、及び／又はアダプタ２６に取り付けられるか又はそれらによって形成される。特に、抗キンクデバイスは、固定端部２５Ａに近接又は隣接するチューブ２５の一部を取り囲む又はそれに対するスリーブを形成する。
【０１９６】
これに代えて、抗キンクデバイス２６Ａは、チューブ２５により、好ましくは固定端部２５Ａの近くのチューブ壁を厚くすることによって形成される。
【０１９７】
抗キンクデバイス２６Ａは、好ましくは円筒形、又は特に好ましくは円錐形又は漏斗状の形状を有し、特に固定端部２５Ａに向けて先細である。抗キンクデバイス２６Ａは剛性とすることができ、又は軟質材料で製造され、特に、特定の曲げ半径までのチューブ２５の屈曲をサポートするために部分的に可撓性であるものとすることができる。
【０１９８】
抗キンクデバイス２６Ａは、好ましくはチューブ２５の曲げ半径を定めるか又はその範囲を定める。
【０１９９】
最も好ましくは、チューブ２５は、容器４の内径の半分未満、好ましくは４分の１、特に５分の１の最小曲げ半径を含み、好ましくは、（円筒形又は球形の）容器４の内径が容器４の断面積の最小直径に対応する。このようにして、チューブ２５を容器４内で十分に曲げることができ、従って、垂直方向位置合わせ以外の他の空間方位で、例えば、水平姿勢で流体２を引き出すことを可能にする。
【０２００】
好ましくは、チューブ２５の曲げ半径は、１５ｍｍ又は１０ｍｍ未満、好ましくは８ｍｍ又は６ｍｍ未満、特に５ｍｍ未満であり、及び／又は１ｍｍ又は２ｍｍを超える。
【０２０１】
好ましくは、チューブ２５の内径は、チューブ２５をその最小曲げ半径まで曲げた時に最大１０％だけ減少する。特に、最小曲げ半径は、キンクすることなく、及び／又はチューブ２５の内径をその初期内径、すなわち一杯に伸びた／曲がっていない状態の内径の１０％を超えて低減することなくチューブ２５を曲げることの可能な半径である。それにより、チューブ２５がその最小曲げ半径まで曲げられた場合でも、流体２を容器４又はバッグ５から引き出せることが保証される。
【０２０２】
好ましくは、チューブ２５は、以下で更に説明するように、その自由端２５Ｂが容器４又はバッグ５の最も外側の区域、すなわち、容器４の上側軸線方向端部又は上部及び／又は容器４の下側軸線方向端部又は底部に達することができるように、可撓性又は曲げ可能である及び／又は長さが適応化される。
【０２０３】
チューブ２５、閉鎖部７、接続ポート９、及び／又はアダプタ２６は、ゴム、特にブチルゴム、及び／又は（可撓性）プラスチック、特にポリアミド、ポリエチレン、ポリプロピレン、ポリブチレンテレフタレート、又はポリエーテルブロックアミドなどのような熱可塑性プラスチック及び／又は熱可塑性エラストマーで製造されることが好ましい。他の適切な材料も同様に使用することができる。
【０２０４】
好ましくは、チューブ２５、及び／又はアダプタ２６の材料は、流体２の特性に従って特にチューブ２５及び／又はアダプタ２６が流体２に濡れるように、すなわち、チューブ２５の表面エネルギが流体２の表面張力よりも大きいか又はそれに等しい及び／又は流体２の液滴とチューブ２５の表面との接触角が７０°未満又は６０°、好ましくは５０°未満又は３０°、最も好ましくは２０°未満であるように選択される。
【０２０５】
例えば、流体２が水性であり、及び／又は溶媒として水溶液及び／又は水を含み、及び／又は６５ｍＮ／ｍを超える及び／又は７５ｍＮ／ｍ未満の表面張力を有する場合に、チューブ２５の材料は、７５ｍＮ／ｍ又は８０ｍＮ／ｍを超える表面エネルギを有するべきである。流体２がエタノール性であり、及び／又は溶媒としてエタノール溶液及び／又はエタノールを含み、及び／又は１５ｍＮ／ｍを超える及び／又は３０ｍＮ／ｍ未満の表面張力を有する場合に、チューブ２５の材料は、３０ｍＮ／ｍ又は３５ｍＮ／ｍを超える表面エネルギを有するべきである。
【０２０６】
未処理ポリエチレンは、典型的に２７ｍＮ／ｍ〜３６ｍＮ／ｍの表面エネルギを有する。未処理ポリプロピレンは、典型的に２８ｍＮ／ｍ〜３４ｍＮ／ｍの表面エネルギを有する。従って、これらの材料の特性は、例えば、水溶液のようなより高い表面張力を有する流体２と共に使用する場合に、湿潤性を改善するように適応させる必要がある。
【０２０７】
チューブ２５の望ましい特性を達成するために、すなわち、その表面エネルギ及び／又は湿潤性を高めるために、チューブ２５は、表面処理され、特にコロナ、プラズマ、火炎、湿式化学的な処理を行う及び／又は（薄膜）被覆することが好ましい。
【０２０８】
特に、そのような表面処理はチューブ２５の面の極性を増大させることができ、水又はエタノールのような水性又は極性の流体２との湿潤性を高める。
【０２０９】
これに加えて又はこれに代えて、チューブは、その表面エネルギ及び／又は湿潤性及び／又は極性を増大させるために、少なくとも１つの添加剤、特に少なくとも１つのプライマを含有することが好ましい。
【０２１０】
例えば、ポリエチレン及びポリプロピレンの表面エネルギは、プラズマ表面処理によって４０ｍＮ／ｍを超えるまで増大させることができる。
【０２１１】
これに加えて又はこれに代えて、流体２は、その表面張力を低減するために、塩化ベンザルコニウムのような少なくとも１つの添加剤で改質することができる。
【０２１２】
好ましくは、チューブ２５又はその自由端２５Ｂの材料は、自由端２５Ｂの流体２への浸漬を促進するために、チューブ２５又はその自由端２５Ｂの密度が流体２の密度よりも大きい、特に１０％、２５％、又は５０％を超えて大きいように選択される。
【０２１３】
例えば、流体２が水性であり、及び／又は溶媒として水溶液及び／又は水を含み、及び／又は１ｇ／ｃｍ3を超える及び／又は１．２ｇ／ｃｍ3未満の密度を有する場合に、チューブ２５又はその自由端２５Ｂの材料は、１．２ｇ／ｃｍ3又は１．３ｇ／ｃｍ3を超える密度を有するべきである。流体２がエタノール性であり、及び／又は溶媒としてエタノール溶液及び／又はエタノールを含み、及び／又は０．８ｇ／ｃｍ3を超える及び／又は１ｇ／ｃｍ3未満の密度を有する場合に、チューブ２５又はその自由端２５Ｂの材料は、１ｇ／ｃｍ3又は１．１ｇ／ｃｍ3を超える密度を有するべきである。
【０２１４】
図４は、ネブライザ１のホルダ１１に接続したカートリッジ３の概略断面図を示している。この状態では、接続要素１４はシール８を貫通しており、カートリッジ３、特に容器４の中に延びている。
【０２１５】
好ましくは、カートリッジ３、特に接続ポート９及び／又は任意的なアダプタ２６は、特に圧入／緊密嵌合の方式で、及び／又は（図４〜６に示すように）カートリッジ３と送出機構１０の間に流体接続及び／又は緊密な接続を確立することができるように、接続要素１４、好ましくはその軸線方向端部及び／又はその外縁を密封的に受け入れるようになっている。
【０２１６】
好ましくは、接続ポート９及び／又はアダプタ２６は、可撓性及び／又は延伸性である。
【０２１７】
特に、挿入された状態で、接続要素１４と接続ポート９とは圧入方式で接続される。
【０２１８】
最も好ましくは、（可撓性）接続ポート９は、特に液密及び気密な接続又はシーリングＳ２が接続ポート９と接続要素１４の間に形成されるように、接続要素１４によって（横方向に）広げられる。
【０２１９】
これに加えて又はこれに代えて、挿入された状態で、接続要素１４とアダプタ２６とは、密封的に及び／又は圧入方式で接続される。特に、（可撓性）アダプタ２６は、特に接続要素１４、好ましくはその軸線方向端部及び／又はその外縁とアダプタ２６の間に液密及び／又は気密な接続又はシーリングＳ３が形成されるように、接続要素１４、好ましくはその軸線方向端部及び／又はその外縁によって（横方向に）広げられる。
【０２２０】
ここでは、接続ポート９とアダプタ２６の両方は、接続要素１４と密封的に及び／又は圧入方式で接続されている。言い換えれば、２つの密封場所又はシーリングＳ２、Ｓ３が、接続要素１４と共に確立される：第１のものは、接続要素１４の横側面又はシェル面と接続ポート９との間、第２のものは、接続要素１４の軸線方向端部とアダプタ２６の間である。
【０２２１】
好ましくは、異なる長さの接続要素１４を使用する場合に、及び／又は接続要素を軸線方向に移動する場合でも、接続要素１４と接続ポート９の間の密封接続又はシーリングＳ２、及び／又は接続要素１４とアダプタ２６の間のシーリングＳ３を確立することができ、それは、接続要素１４が接続ポート９及び／又はアダプタ２６によって横方向／半径方向に密封的に受け入れられる及び／又はそれらに接続されるからである。このようにして、接続要素１４の長さ公差を補償することができる。
【０２２２】
図４に示すカートリッジ３の状態では、容器４はほとんど空であり、すなわち、流体２の容積が減少したために、僅かに数投与量の流体２が残るだけである。
【０２２３】
好ましくは、カートリッジ３は、完全に空にされるように、及び／又はその流体２の初期容積の９０％よりも多く又は９２％、特に９５％よりも多く又は９６％をネブライザ１又は送出機構１０により、特にチューブ２５を通して引き出せるようになっている。
【０２２４】
更に、カートリッジ３は、図４〜６を互いに比べることで示すように、その空間方位とは少なくとも本質的に無関係に流体２を容器４から引き出すことができるようになっていることが好ましい。
【０２２５】
図５は、図４による送出機構１０に接続されているが、水平姿勢に、すなわち、残りの流体２がもはや容器４の底部又は下側軸線方向端部に集まらず、むしろ重力Ｇのためにその長手方向側面に集まるように回転させた又は維持したカートリッジ３を示している。
【０２２６】
図６は、図４による送出機構１０に接続されているが、上下逆さまに、すなわち、カートリッジ３が送出機構の上に配置される及び／又は残りの流体２がもはや容器４の底部又は下側軸線方向端部に集まらず、むしろ重力Ｇのためにその上部又は上側軸線方向端部に、すなわち閉鎖部７に集まるように回転させたカートリッジ３を示している。
【０２２７】
好ましくは、チューブ２５は、その自由端２５Ｂが、（好ましくは）自動的に、（残りの）流体２に向けて又は重力Ｇに従って曲がるように、及び／又はその自由端２５Ｂが（残りの）流体２内に保たれるように、特に、少なくとも本質的にカートリッジ３の空間方位とは独立に及び／又は容器４のあらゆる領域とは独立に、好ましくは容器４の最も外側の区域とも、すなわち、容器４の下端又はその底部、容器４の長手方向側面、及び容器４の上端の領域又は閉鎖部７とも無関係に流体２を引き出せるように可撓性又は曲げ可能である。
【０２２８】
特に、流体２は重力Ｇにより容器４内の最低点に集められる。好ましくは、チューブ２５の自由端２５Ｂは、いずれの空間方位に対しても、特に上下逆さまに回転させた場合でも、少なくとも本質的にカートリッジ３又は容器４内の流体２のうちの最低点に又はそれに隣接して自動的に配置又は位置決めされる。
【０２２９】
好ましくは、チューブ２５の曲げは、自動的に、特にチューブ２５の自重／重量力及び／又はその湿潤性により自動的に達成される。
【０２３０】
好ましくは、チューブ２５は、好ましくはその自重及び／又はその湿潤性により、１０°、２０°、又は３０°よりも大きく、特に少なくとも本質的に４５°の角度まで曲がり、及び／又は図５に示すように、カートリッジ３又はネブライザ１を水平姿勢に回転させた場合にその自由端２５Ｂで長手方向側面に達するように構成される。
【０２３１】
特に、チューブ２５は、好ましくはその自重及び／又はその湿潤性により、９０°、１２０°、又は１５０°よりも大きく、特に少なくとも本質的に１８０°の角度まで曲がり、及び／又は図６に示すように、カートリッジ３又はネブライザ１を上下逆さまに回転させた場合にその自由端２５Ｂで容器４の上端又は閉鎖部７に達するように構成される。
【０２３２】
任意的に、カートリッジ３は、例えば、重り、スポンジ、又はアンカーなどのような浸漬／接触要素２７を含み、好ましくは、浸漬要素２７は、チューブ２５、特にその自由端２５Ｂに取り付けられるか又はそれによって形成される。
【０２３３】
好ましくは、チューブ２５と浸漬要素２７は別々の部品である。それにも関わらず、チューブ２５と浸漬要素２７は、一体に形成することができる。例えば、チューブ２５の自由端２５Ｂの壁厚を隣接する壁厚と比べて増大させることができる。このようにして、チューブ２５の自由端２５Ｂは浸漬要素２７を形成することができる。
【０２３４】
代替実施形態（図示せず）では、浸漬／接触要素２７は、チューブ２５の材料を拡張することにより、及び／又はチューブ２５と一体に形成される。
【０２３５】
浸漬要素２７は、好ましくは１ｍｇ又は３ｍｇを超える、特に５ｍｇ又は１０ｍｇを超える、及び／又は５００ｍｇ又は４００ｍｇ未満、特に３００ｍｇ又は２００ｍｇ未満の重量である。
【０２３６】
浸漬要素２７は、好ましくは１ｍｍ3又は２ｍｍ3を超える、及び／又は１０００ｍｍ3又は１２５ｍｍ3未満の容積を含む。
【０２３７】
好ましくは、浸漬要素２７は、チューブ２５、特にその自由端２５Ｂに作用する重量力を増大させ、重力Ｇ及び／又はネブライザ１又はカートリッジ３の空間方位に従ってチューブ２５を曲げるようになっている。
【０２３８】
チューブ２５及び／又は浸漬要素２７は、好ましくはチューブの長手方向延長部又は軸線方向管路／入口に対して横方向／半径方向に及び／又はチューブ２５の壁又は浸漬要素２７を貫通して延びる切欠き、凹み、又は管路のような任意的な横入口２８を含むことが好ましい。
【０２３９】
好ましくは、横入口２８を通して、及び／又は例えばチューブ２５の軸線方向管路／入口及び追加の横入口２８のような２つの異なる入口を通して、流体２を横方向／半径方向に吸い込むことができる。それにより、流体２を引き出す間にチューブ２５が容器４の壁に接着すること、及び／又は容器４の壁がチューブ２５を（完全に）閉鎖することが防止される。
【０２４０】
特に、浸漬要素２７は、チューブ２５又は浸漬要素２７の方位又は位置に関わらず、少なくとも１つの入口が容器４の壁とは距離を置くように適応させることができる。それにより、自由端２５Ｂの閉塞が更に防止される。
【０２４１】
浸漬要素２７は、流体２内への浸漬を促進にするために、流体２よりも大きい、特に１０％、２５％、又は５０％を超えるだけ大きい密度を有することが好ましい。
【０２４２】
例えば、流体２が水性であり、及び／又は溶媒として水溶液及び／又は水を含み、及び／又は１ｇ／ｃｍ３を超える及び／又は１．２ｇ／ｃｍ３未満の密度を有する場合に、浸漬要素２７の材料は、１．２ｇ／ｃｍ３又は１．３ｇ／ｃｍ３を超える密度を有するべきである。流体２がエタノール性であり、及び／又は溶媒としてエタノール溶液及び／又はエタノールを含み、及び／又は０．８ｇ／ｃｍ３を超える及び／又は１ｇ／ｃｍ３未満の密度を有する場合に、浸漬要素２７の材料は、１ｇ／ｃｍ３又は１．１ｇ／ｃｍ３を超える密度を有するべきである。
【０２４３】
特に、流体２の密度よりも大きい密度を有する浸漬要素２７を設ける場合に、チューブ２５は、流体２の密度と同様又はそれより更に小さい密度を有する材料から構成されることが可能である。
【０２４４】
チューブ２５、アダプタ２６、及び／又は浸漬要素２７は湿潤性であり、及び／又は好ましくは少なくとも部分的に湿潤性、特に親水性及び／又は極性の面を含む。特に、チューブ２５の少なくとも自由端２５Ｂは、部分的に湿潤性、特に親水性及び／又は極性の面を含む。しかし、チューブ２５の面全体が湿潤性、特に親水性及び／又は極性であることが好ましい。
【０２４５】
チューブ２５、アダプタ２６、及び／又は浸漬要素２７の外側／シェル及び／又は内面は、好ましくはその極性及び／又は湿潤性を高めるために、少なくとも部分的に表面処理され、特にコロナ、プラズマ、又は火炎処理されることが好ましい。
【０２４６】
チューブ２５、アダプタ２６、及び／又は浸漬要素２７の親水性及び／又は極性の面及び／又は極性／湿潤性により、チューブ２５、アダプタ２６、及び／又は浸漬要素２７、特にそれらの／その面は流体２で容易に濡れ、及び／又は流体２に濡れる及び／又は浸漬された状態で、チューブ２５、少なくともその自由端２５Ｂは、特に流体２の接着力及び／又は凝集力により、流体２内に維持される／引き込まれる。
【０２４７】
チューブ２５及び／又は浸漬要素２７の湿潤性、特に親水性及び／又は極性という特性は、カートリッジ３の空間方位又は重力Ｇに従ってチューブ２５を曲げるのを助けるので、チューブ２５、特にその先端又は自由端２５Ｂは流体２内に維持され、及び／又は好ましくはカートリッジ３又はネブライザ１のいずれの移動又は空間方位の変化とも独立にカートリッジ３内の流体２から送出機構１０への流体接続が維持される。従って、ネブライザ１の患者が、例えば、ネブライザ１を水平姿勢に又は上下逆さまに回転させることなどにより、使用中にネブライザ１を移動した時でさえも流体２をカートリッジ３から引き出すことができる。
【０２４８】
特に（取り付けられた）浸漬要素２７により、チューブ２５の外側及び／又は内側の表面積及び従ってチューブ２５と流体２間の接触面がその自由端２５Ｂにおいて好ましくは増大するので、特に接着効果が更に強化される。
【０２４９】
最も好ましい実施形態（図示せず）では、浸漬／接触要素２７又はチューブ２５の自由端２５Ｂは、漏斗形状又は円錐形状とすることができる。特に、チューブ２５の内径及び／又は外径は、好ましくはチューブ２５がその先端に拡大接触面を含むように自由端２５Ｂに向けて増大することができる。
【０２５０】
更に、任意的なアダプタ２６の湿潤性、特に親水性及び極性は、その内面での泡形成を回避するのに役立つ。特に、アダプタ２６は、アダプタ２６と接続ポート９の間の移行領域に気泡が集まらないようにその内面が流体２で容易に濡れる。
【０２５１】
流体２は、好ましくは極性流体であり、及び／又は水のような極性溶媒を含む。特に、流体２又はその成分は極性分子及び／又は双極子モーメントを含む。これは、上述のように、チューブ２５の流体２との湿潤性及び従ってチューブ２５の表面と流体２の間の相互作用をサポートする。それにも関わらず、無極性流体２を使用することもできる。
【０２５２】
好ましくは、流体２の液滴とチューブ２５及び／又は浸漬要素２７の面の間の接触角は、９０°密封又は７０°、特に５０°未満又は３０°、特に好ましくは２０°密封又は５°である。特に好ましい実施形態により、流体２の液滴とチューブ２５及び／又は浸漬要素２７の面の間の接触角は０°〜２°である。
【０２５３】
任意的に、容器４はチューブ２５よりも湿潤性が低く、及び／又は少なくとも部分的に疎水性及び／又は無極性の（内側）面又は層を含む。そのような実施形態により、容器４、特にその（内側）面又は層は、疎水性及び／又は無極性の材料で被覆することができ、及び／又は疎水性及び／又は無極性の材料で製造することができる。このようにして、容器４の湿潤性が低下するので、容器４の（内側）面又は層に接着する流体２がより少ない。従って、相乗方式で、親水性及び／又は極性のチューブ２５と疎水性及び／又は無極性の容器４とは、カートリッジ３から引き出すことができる流体２の容積の増加を促進する。
【０２５４】
例えば、容器４は、ポリテトラフルオロエチレン又はパラフィンワックスのようなワックスなどで製造されるか又はそれらで被覆することができると考えられる。
【０２５５】
好ましくは、流体２の液滴と容器４の面の間の接触角は、７０°よりも大きく又は９０°、特に１００°よりも大きく又は１１０°、特に好ましくは１３０°よりも大きく又は１４０°である。
【０２５６】
図７は、漏斗形状及び／又は円錐形状のアダプタ２６を接続ポート９から離れる方向に移動した状態のチューブ２５を示し、上述のように、両部品の間に液密及び／又は気密の接続又はシーリングＳ４を確立するためにチューブ２５が接続ポート９の上に押し込まれる前のカートリッジ３の組立状態を説明している。チューブ２５／アダプタ２６の漏斗形状及び／又は円錐形状により、チューブ２５を接続ポート９と共に接続要素１４に対して密封的に接続することが可能になる。
【０２５７】
以下では、本発明の更に別の実施形態を説明し、関連する相違点又は追加の態様だけを強調することになる。以上の説明は、好ましくは、それに加えて又は同様に適用され、繰り返されない場合でも類似の特徴及び利点をもたらす。
【０２５８】
図８は、本発明の第２実施形態によるカートリッジ３を示している。図９は、チューブ２５の固定端部２５Ａの領域におけるカートリッジ３の図式詳細図を示している。
【０２５９】
上述のように、カートリッジ３、特に接続ポート９及び／又はアダプタ２６は、接続要素１４の長さ公差を補償するように、及び／又は異なる長さの接続要素１４を密封的に受け入れるようになっている。
【０２６０】
第２の実施形態により、カートリッジ３は、好ましくはチューブ２５を接続要素１４（図８及び図９には図示せず）に流体接続するための中間部品２９を含み、好ましくは、接続要素１４の長さ公差は、以下で説明するように、中間部品２９により、特に中間部品２９を軸線方向に移動することによって補償されるものとすることができる。
【０２６１】
中間部品２９は、チューブ２５の固定端部２５Ａに及び／又はアダプタ２６内に配置されることが好ましい。
【０２６２】
図８及び図９に示す実施形態では、アダプタ２６及びチューブ２５は２つの別々の部品である。しかし、図３〜図７に示す第１の実施形態に関連して示したように、アダプタ２６とチューブ２５は、一体に形成することができる。
【０２６３】
好ましくは、中間部品２９は、チューブ２５から接続要素１４への移行部／接続部を形成し、及び／又はそれとして構成される。特に、中間部品２９は、チューブ２５から接続要素１４への移行部における流れ損失を低減するようになっている。
【０２６４】
最も好ましくは、中間部品２９は、特に接続要素１４、チューブ２５、及び中間部品２９によって連続毛管が形成されるように、すなわち、毛管作用停止及び／又は毛管作用中断をもたらす拡大流れ区域を伴うことなくチューブ２５から接続要素１４への（毛細管）移行部を形成する。このようにして、流体２は、毛管作用によって及び／又はいずれの毛管作用停止もなく、接続要素１４に至るまで引き出すことができる。
【０２６５】
中間部品２９の流れ区域、特に（最小）内径は、チューブ２５及び接続要素１４の流れ区域、特に（最小）内径に等しく、及び／又は少なくとも本質的に一致し、特に、チューブ２５から接続要素１４への連続的な移行部を形成し、及び／又は移行部における泡の形成を防止するようにする。
【０２６６】
好ましくは、中間部品２９は、流れ区域の拡大を低減する／最小にするように、及び／又はチューブ２５から接続要素１４への移行部においてあらゆる死容積を回避するようになっている。
【０２６７】
好ましくは、チューブ２５から接続要素１４への、特にチューブ２５から中間部品２９への、及び／又は中間部品２９から接続要素１４への移行部における（最も広い／最大の）流れ区域は、接続要素１４、チューブ２５、及び／又は中間部品２９の（最小又は最大の）流れ区域に少なくとも本質的に等しい及び／又はその１２０％に等しいか又はそれよりも高くない。
【０２６８】
好ましくは、チューブ２５から接続要素１４への、特にチューブ２５から中間部品２９への、及び／又は中間部品２９から接続要素１４への移行部における（最も広い／最大の）流れ区域は、１ｍｍ2未満又は０．３０ｍｍ2である。
【０２６９】
最も好ましくは、中間部品２９とチューブ２５、及び／又は中間部品２９と接続要素１４とが互いに（密封的に）挿入可能である。図８及び図９に示す実施形態では、中間部品２９は、チューブ２５内に挿入可能であることが好ましい。しかし、チューブ２５はまた、中間部品２９内に挿入可能にすることができる。
【０２７０】
好ましくは、中間部品２９はピストン又はプランジャとして構成され、及び／又はストップ２９Ａを含む又は形成し、好ましくはストップ２９Ａがチューブ２５の軸線方向端部、特に前面に当たるまでチューブ２５内に挿入可能である。
【０２７１】
好ましくは、チューブ２５及び中間部品２９の少なくとも一方は、特にチューブ２５を中間部品２９に接続する時に、図９に最も明確に示すように少なくとも本質的に一定の流れ区域を有する移行部が形成されるように可撓性／変形可能／延伸性である。
【０２７２】
好ましくは、中間部品２９は剛性であり、チューブ２５は可撓性であり、特に延伸性があるので、中間部品２９をチューブ２５内に挿入する時にチューブ２５は延びる。
【０２７３】
好ましくは、中間部品２９は、接続要素１４に対する（平坦な）接触面２９Ｂを含み、特に、接触面２９Ｂはチューブ２５とは反対側に配置される。
【０２７４】
接続要素１４を接続ポート９に挿入する時に、好ましくは接続要素１４、特にその軸線方向端部が中間部品２９、特にその接触面２９Ｂと同一平面に位置付けられる及び／又はそれと密封接続を形成するように、接続要素１４は軸線方向に中間部品２９、特にその接触面２９Ｂに当たることが好ましい。しかし、他のソリューションも同様に可能である。特に、中間部品２９と接続要素１４は、チューブ２５に関して上述したように互いに（密封的に）挿入可能にすることができる。
【０２７５】
中間部品２９は、接続要素１４の長さ公差を補償するようになっていることが好ましい。特に、中間部品２９は、接続要素１４の長さ公差を補償するためにチューブ２５に対して軸線方向に可動である。
【０２７６】
出荷状態では、図８及び図９に示すように、特に中間部品２９を更にチューブ２５の中に押し込む又はその上に押圧することができるように、中間部品２９はチューブ２５内に部分的にのみ挿入されることが好ましい。
【０２７７】
出荷状態は、ネブライザ１に挿入される前のカートリッジ３の状態として理解されるものとする。
【０２７８】
好ましくは、接続要素１４を接続ポート９に挿入する時に、接続要素１４は中間部品２９、特にその接触面２９Ｂに当たり、及び／又は接続要素１４の軸線方向長さに応じて、中間部品２９を（更に）チューブ２５内に又はその上に押す／移動する。このようにして、接続要素１４の長さの変動を補償すること、及び／又は接続要素１４の長さの変動とは独立に接続要素１４とチューブ２５の間の密封接続を提供することが可能である。
【０２７９】
本発明は、特に中間部品２９を通して及び／又は異なる接続要素１４の起こり得る長さ変動とは独立に接続要素１４がその軸線方向端部でチューブ２５に密封接続されることを可能にし、サポートし、又は保証する。
【０２８０】
更に、接続要素１４及びチューブ２５は、連続毛管を形成する又は含み、及び／又は特に中間部品２９を通して少なくとも本質的に一定の流れ区域を含む。特に連続的な毛管移行部が形成されるように泡を捕捉する及び／又は毛管作用停止をもたらす可能性があるチューブ２５から接続要素１４への移行部における空隙、間隙、及び／又は流れ区域の（急激な）拡大が最小にされるか又は防止される。
【０２８１】
図１０は、本発明の第３の実施形態によるカートリッジ３を示している。図１１は、チューブ２５の固定端部２５Ａの領域における図１０によるカートリッジ３の図式詳細図を示している。図１２は、図１１と類似の図式詳細図を示すが、カートリッジ３及び／又はチューブ２５及び／又は自由端２５Ｂが異なる空間方位にある。
【０２８２】
第３の実施形態では、浸漬要素２７は、好ましくはチューブ２５の周りに配置され、及び／又はチューブ２５を取り囲む又は覆う。
【０２８３】
好ましくは、チューブ２５は、その長さ全体に沿って浸漬要素２７によって取り囲まれるか又は覆われるわけではない。特に、チューブ２５は、浸漬要素２７に取り囲まれないか又は覆われないか又は浸漬要素２７を含まない部分２５Ｃと、浸漬要素２７に取り囲まれるか又は覆われるか又は浸漬要素２７を含む別の部分２５Ｄとを含む。
【０２８４】
部分２５Ｄは、好ましくは自由端２５Ｂを含む又はチューブ２５の自由端２５Ｂに隣接する。部分２５Ｃは、好ましくは固定端部２５Ａを含む又はチューブ２５の固定端部２５Ｂに隣接する。しかし、例えば、浸漬要素２７がチューブ２５の中心部分分に位置付けられるなどの他のソリューションも可能である。複数の浸漬要素２７がチューブ２５の長さ全体又はその一部に沿って分配されるソリューションも可能である。
【０２８５】
図１０において、浸漬要素２７は、好ましくは円錐形状を有し、及び／又はチューブ２５の自由端２５Ｂに向けて先細になる。しかし、例えば、少なくとも本質的に円筒形状のような他の形状も可能である。
【０２８６】
図１０は、図５と同様な姿勢で、回転させた又は水平方向の姿勢で、すなわち、残りの流体２がもはや容器４の底部又は下側軸線方向端部に集まらず、むしろ重力Ｇのためにその長手方向側面に集まるように送出機構１０に接続したカートリッジ３を示している。しかし、第３の実施形態によるカートリッジ３及び／又はネブライザ１の好ましい通常の作動姿勢は、上述の実施形態のように、残りの流体２が容器４の底部又は下側軸線方向端部に集まる姿勢である（図示せず）。
【０２８７】
通常の作動姿勢では、チューブ２５は少なくとも本質的に真っ直ぐ及び／又は（大きくは）曲がらずに延び、容器４がほとんど空の場合でも流体に浸るように自由端２５Ｂは容器４の底部の近くに位置付けられる。
【０２８８】
傾いた場合に、チューブ２５は、自由端２５Ｂが流体２に浸漬されたままであるように曲がることが好ましい。
【０２８９】
特に、浸漬要素２７によって取り囲まれない及び／又は固定端２５Ａに隣接しないチューブ２５の部分２５Ｃだけが曲がる、及び／又は曲げ可能である。浸漬要素２７によって取り囲まれるチューブ２５の部分２５Ｄは、好ましくは曲がらない、及び／又は剛性であるか又は曲げ可能ではない、及び／又は浸漬要素２７により屈曲が防止される。これは水平姿勢にあるカートリッジ３を示す図１０に例示されており、取り囲んだ部分２５Ｄが曲がっておらず、他の部分２５Ｃが重力Ｇ及び／又はチューブ２５及び／又は浸漬要素２７の湿潤性のために曲がっている。
【０２９０】
好ましくは、第３の実施形態の浸漬要素２７は、第１の実施形態に関連して説明した浸漬要素２７と類似の特性を有し、特に流体２に濡れる、及び／又は流体２よりも高い表面張力を有し、及び／又は自由端２５Ｂが流体２に浸漬されたままであるように流体２よりも高い密度を有する。
【０２９１】
好ましくは、浸漬要素２７の表面は、親水性及び／又は極性であり、及び／又は流体２よりも高い表面張力を有する。それにより、容器４及び／又はバッグ５の好ましくは疎水性及び／又は無極性の内面と関連して浸漬要素２７と上述の内面とが互いに直接接触しない及び／又は互いに付着しないことが保証される。
【０２９２】
特に、浸漬要素２７は、第１の実施形態に関連して上述したように、例えば、親水性特性を達成するために表面処理することができる。
【０２９３】
好ましくは、浸漬要素２７はプラスチックで製造され、特に、ポリテトラフルオロエチレン又はシリコーンなどのような水よりも高い密度を有するプラスチック材料で製造される。しかし、浸漬要素２７はまた、他の材料から、例えば、金属又はセラミックなどのような他の材料から製造することができる。
【０２９４】
浸漬要素２７及び／又は浸漬要素２７に取り囲まれた部分２５Ｄの長さは、浸漬要素２７に取り囲まれない部分２５Ｃの長さよりも大きく、特に２倍を超える及び／又は１０倍未満であることが好ましい。浸漬要素２７は、チューブ２５の６０％を超えて及び／又は９０％未満を覆う又は取り囲むことが好ましい。
【０２９５】
好ましくは、浸漬要素２７の長さはカートリッジ３の直径を超える。
【０２９６】
チューブ２５又は曲げ可能部分２５Ｃの壁厚は、曲げ可能部分２５Ｃの十分な屈曲を可能にするのに足りるだけ薄く選択されることが好ましい。好ましくは、その壁厚は、０．２ｍｍ未満、特に０．１５ｍｍ未満、特に好ましくは０．１２未満であり、及び／又は０．０５ｍｍを超える、特に０．０８ｍｍを超える。
【０２９７】
第３の実施形態による浸漬要素２７の重量は、好ましくはチューブ２５の望ましい曲げ特性が達成されるようにする。特に、浸漬要素２７の重量は、浸漬要素２７又は対応するチューブ部分２５Ｃ、２５Ｄの長さ、及び／又はチューブ２５の壁厚に依存する。
【０２９８】
特に、チューブ２５の壁が厚いほど、及び／又は曲げ可能なチューブ部分２５Ｃが短いほど、同じ曲げ特性を達成するために浸漬要素２７の重量を大きくしなければならない。
【０２９９】
第３の実施形態による浸漬要素２７は、特に、上述の好ましい壁厚及び／又はチューブ部分２５Ｃの長さを有するチューブ２５の十分な屈曲を可能にするために、好ましくは０．５ｇを超える、特に０．８ｇ超える、及び／又は１．５ｇ未満、特に１．２ｇ未満、特に好ましくは少なくとも本質的に１ｇの重量である。
【０３００】
浸漬要素２７とチューブ２５は、特にチューブ２５と浸漬要素２７の間に空気又は流体２が閉じ込められないように緊密嵌合方式で接続されることが好ましい。
【０３０１】
チューブ２５と浸漬要素２７は、好ましくは別々の部品として形成され、特に異なる材料で製造されるが、一体的に又はワンピースとして形成することができる。
【０３０２】
チューブ２５又は浸漬要素２７は、好ましくはバルブ３０を含み、それは、バルブ３０及び／又はチューブ２５の空間方位又は位置に応じて開閉される。図１０〜１２に示す例では、バルブ３０は、チューブ２５の自由端２５Ｂに又はその近くに位置付けられる。しかし、バルブ３０は、固定端部２５Ａに又は両端間のあらゆる場所に設置することができる。
【０３０３】
バルブ３０は、カートリッジ３及び／又はバルブ３０の通常の作動姿勢又は直立姿勢で、及び／又はチューブ２５が少なくとも本質的に曲がっていない姿勢にある時に開くように構成されることが好ましい。好ましくは、カートリッジ３及び／又はバルブ３０が水平姿勢及び／又は直立姿勢と水平姿勢の間のあらゆる姿勢に傾く又は回転した時にバルブ３０は開いたままである。
【０３０４】
バルブ３０は、カートリッジ３及び／又はバルブ３０が上下逆さまの姿勢又は水平姿勢と上下逆さまの姿勢の間の傾斜姿勢にある時に、及び／又はチューブ２５の自由端２５Ｂが流体２に浸ることが保証することができない時に閉じるように構成されることが好ましい。
【０３０５】
例えば、剛性で及び／又は（十分に）曲げ可能ではないチューブ部分２５Ｄが容器４の内径を超えるようにチューブ２５及び／又は浸漬要素２７が適合される場合に、チューブ２５又はその曲げ可能な部分２５Ｃは、容器壁がそのような移動を制限するために９０°、１２０°、１５０°、又はそれを超えて曲がることはできない。同じことが、その長手方向延長部と比較して小さい直径を有する非常に細い容器４にも当て嵌まる。この場合に、チューブ２５の長さは容器４の直径より遥かに大きいので、上下逆さまの姿勢ではチューブ２５が容器の壁に接着することができる。可撓性チューブ２５を圧潰性バッグ５と共に使用する場合にも、チューブ２５がバッグの折れ目に嵌まり込む又は詰まることが起こり得る。
【０３０６】
カートリッジ３の構成により、その自由端２５Ｂが常に流体２に浸漬するようにチューブ２５が曲がることが先験的に不可能である場合に、バルブ３０はチューブのどこにでも、特にその自由端２５Ｂ又は固定端部２５Ａ、又はアダプタ２６、接続ポート９又は閉鎖部７の中にでも設置することができる。一例は、剛性チューブ部２５Ｄが容器４の内径を超える場合である。
【０３０７】
しかし、チューブ２５が原理的に容器４内のあらゆる点に到達することができるようにカートリッジ３が構成される場合に、バルブ３０は自由端２５Ｂ又はその近くに配置されることが好ましい。このようにして、バルブ３０の開閉は、カートリッジ３の方位に依存するのではなく、自由端２５Ｂの方位にのみ依存することが保証される。例えば、図４〜６では、カートリッジ３は異なる空間方位で示されるが、チューブ２５の自由端２５Ｂは常に重力Ｇの方向を向き、すなわち、３つの場合全てにおいて同じ空間方位にある。この方位で、バルブ３０は開いていることが好ましい。しかし、図１２に例示的に示すように、自由端２５Ｂが少なくとも本質的に重力Ｇとは反対の方向を向く場合に、バルブ３０は閉じていることが好ましい。それにより、好ましいことに自由端２５Ｂが流体２に浸漬された場合にのみバルブ３０が開くことが保証される。
【０３０８】
以下では、バルブ３０の好ましい構成をより詳細に説明する。しかし、他の構成的ソリューションも可能である。
【０３０９】
バルブ３０は、バルブチャンバ３０Ｂ内を自由に動くことができるバルブボール３０Ａを含むことが好ましい。
【０３１０】
バルブボール３０Ａは、バルブ壁３０Ａが重力Ｇによって流体２に沈むように流体２よりも大きい密度を有する材料、特にプラスチック材料で製造されることが好ましい。
【０３１１】
バルブボール３０Ａの直径は、自由端２５Ｂ及び／又はチューブ２５の内径よりも大きいことが好ましく、バルブボール３０Ａは、特にバルブ３０及び／又は自由端２５Ｂの少なくとも本質的に上下逆さまの方位において自由端２５Ｂを閉じるようになっている。
【０３１２】
バルブチャンバ３０Ｂの壁は、浸漬要素２７によって形成されることが好ましい。
【０３１３】
好ましくは、チューブ２５又はその自由端２５Ｂは、バルブチャンバ３０Ｂに流体接続される。
【０３１４】
バルブチャンバ３０Ｂの壁は、開口部又は入口、特にその軸線方向端部の入口と側壁の横入口２８とを含むことが好ましい。バルブボール３０Ａがバルブチャンバ３０Ｂから逃れられないように、入口の直径はバルブボール３０Ａの直径よりも小さいことが好ましい。
【０３１５】
好ましくは、バルブチャンバ３０Ｂの開口部は、入口の全てがバルブボール３０Ａによって同時に閉め切られることのないように配置される。それにより、バルブ３０の空間方位に関わらず、少なくとも１つの入口が開いたままになることが保証される。
【０３１６】
これに代えて、バルブチャンバ３０Ｂは少なくとも本質的にはケージ状であり、特にバルブチャンバ３０Ｂの壁は、好ましくは全ての側面がグリッド状であり、バルブボール３０Ａは上述のケージ状バルブチャンバ３０Ｂ内に閉じ込められる。それにより、好ましくは、バルブチャンバ３０Ｂは浸漬時に流体２で充填されることが保証される。
【０３１７】
図１２は、上下逆さまの姿勢、すなわち、チューブ２５の自由端２５Ｂが重力Ｇに逆らう方向を向く、及び／又は必ずしも流体２に浸漬されない姿勢にあるバルブ３０を示している。この場合に、バルブボールル３０Ａは自由端２５Ｂに静止し、及び従ってその自由端２５Ｂ、すなわち、チューブ２５の入口を閉じることが好ましい。特に、バルブボール３０Ａが自由端２５Ｂに着座することにより、空気がチューブ２５に入り込まないように防止される。
【０３１８】
図１３〜１８は、本発明の第４の実施形態によるカートリッジ３を示している。  これらの図は、容器４の内側が見えるように容器４の片側が取り除かれた概略図でカートリッジ３を示している。
【０３１９】
本発明の第４の実施形態では、チューブ２５は、好ましくは少なくとも本質的に又は部分的に螺旋として、特に図１３〜１５に示すような円筒螺旋、又は図１７及び１８に示すような円錐螺旋として成形される。しかし、チューブ２５の他の螺旋形状も可能であり、例えば、図１６に示すように、断面図がＸ字形であり、螺旋の直径が初めは減少して次に再び増加する二重円錐形状が可能である。
【０３２０】
好ましくは、チューブ２５は、他の点では上述の実施形態に関連して説明したチューブ２５と同じか又は類似の特性を有し、特にチューブ２５は少なくとも本質的に可撓性及び／又は湿潤性であり、及び／又は一定の内径を有する。チューブ２５は浸漬要素２７も含むことができる。
【０３２１】
螺旋及び／又はチューブ２５は、自由端２５Ｂが常に流体２に浸漬するように、特に自由端２５Ｂが流体レベルの近くに位置付けられるようになっていることが好ましい。
【０３２２】
特に、螺旋は圧縮性及び／又は延伸性であり、及び／又は螺旋のピッチとも呼ばれる螺旋の軸と平行に測定した完全な螺旋巻回の高さは変えることができる。従って、螺旋の軸線方向長さは適応性があり、特にピッチを変えることで螺旋を伸ばす及び／又は圧縮することができる。
【０３２３】
好ましくは、流体２に浸漬された螺旋の部分は少なくとも本質的に可能な限り圧縮され、及び／又は浸漬された螺旋部分のピッチは少なくとも本質的にゼロであり、及び／又は流体２に浸漬された螺旋部分は、特に浸漬要素２７が設けられない場合は少なくとも本質的に平坦である。
【０３２４】
浸漬された螺旋部分の圧縮は、好ましくは、上述の流体２に浸漬された螺旋又はチューブ２５の部分に流体２により及ぼされる浮力によって達成され、従って、その部分を上方に押す。しかし、螺旋又はチューブ２５は、チューブ２５の自由端２５Ｂが流体レベルの下方であるが、好ましくは流体レベルの近くに位置付けられるように流体２に浮くのではなく、（僅かに）浸漬されるようになっている。
【０３２５】
好ましくは、螺旋のピッチは、流体２に浸漬されない螺旋部分の長さにわたって少なくとも本質的に一定である。流体２に浸漬された螺旋の部分も一定のピッチを有することが好ましいが、それは、流体２に浸漬されない螺旋部分のピッチとは異なり、特に小さいとすることができる。従って、好ましくは、ピッチは流体レベルで変化する。しかし、螺旋の全長にわたってピッチが一定であるか又は例えば固定端部２５Ａから自由端２５Ｂへ増加する又は減少するピッチを有するなどの螺旋の全長にわたって変化するピッチを有する他のソリューションも可能である。
【０３２６】
特に好ましくは、螺旋の軸線方向長さは、容器４内の流体２の流体レベル及び／又は充填レベルの高さに依存する又はそれらに合わせて調節される。図１４は、より高い流体レベルを有する及び／又より多くの流体２が容器４に含有された例を示している。この場合に、螺旋、特に流体２に浸漬されていない螺旋部分は、図１３に示すような容器４のより低い流体レベル及び／又はより少ない流体２に対するよりも圧縮される及び／又はピッチが小さくなる。
【０３２７】
特に自由端２５Ｂに又はその近くに浸漬要素２７を設ける場合に、螺旋、チューブ２５、及び／又は自由端２５Ｂは、浸漬要素２７がない場合よりも深く浸漬され、及び／又は流体レベルの近くに位置しない、及び／又は直立姿勢で容器４の底部の近くに位置付けられる。これを図１５に示している。
【０３２８】
螺旋、チューブ２５、及び／又は自由端２５Ｂのより深い浸漬は、流体２の浮力を相殺する浸漬要素２７の追加の重量によることが好ましい。
【０３２９】
特に好ましくは、浸漬要素２７の形状及び／又は重量は、螺旋、チューブ２５、及び／又は自由端２５Ｂの望ましい浸漬深さを達成するようになっている。特に、浸漬要素２７のより大きい重量及び／又はより小さい容積に伴って浸漬深さはより大きくなる。
【０３３０】
特に好ましくは、チューブ２５は、円錐螺旋、すなわち、螺旋の軸に対して垂直に測定した螺旋の直径がその軸に沿って常に減少又は増加している螺旋の形状を有する。特に、螺旋の内側は円錐形状であり、及び／又はチューブ２５はあたかも円錐の周りに巻き付けたかのような形状を有する。螺旋のこの好ましい円錐形状を図１７及び１８に示している。
【０３３１】
好ましくは、円錐螺旋は、円筒螺旋よりも少ない巻線数又は巻回数、特に好ましくは、約半分の巻線数又は巻回数を有する。
【０３３２】
好ましくは、螺旋は、固定端部２５Ａで最小直径を及び自由端２５Ｂで最大直径を有し、及び／又は自由端２５Ｂから固定端部２５Ａに向けて先細になる。しかし、螺旋が自由端２５Ｂに向けて先細になること、及び／又は自由端２５Ｂで最小直径を有し、固定端部２５Ａで最大直径を有することも可能である。
【０３３３】
最大直径及び／又は最小直径が自由端２５Ｂにも固定端部２５Ａにもない直径が一定でない他のソリューションもここでは可能であり、例えば、少なくとも本質的に螺旋又はチューブ２５の長さの半分でその最小直径を取る図１６に示す二重円錐形状がある。
【０３３４】
その最も広い点での螺旋の直径は、容器４の直径より少なくとも５％又は１０％小さいことが好ましい。
【０３３５】
螺旋又はチューブ２５は、好ましくは少なくとも本質的に２次元又は平坦な渦巻に圧縮可能である。これは特に、最大圧縮時に螺旋又はチューブ２５が少なくとも本質的に２次元又は平坦な渦巻になることを可能にする好ましい円錐形状によって達成される。対照的に、円筒螺旋が最大に圧縮された状態で、チューブ壁は互いに衝突するので、その形状は円筒形のままであり、従って、３次元又は非平坦のままである。
【０３３６】
好ましくは、螺旋及び／又はチューブ２５は、カートリッジ３が直立姿勢にない場合でも、自由端２５Ｂが常に流体２に浸漬されるようになっている。
【０３３７】
特に、螺旋又はチューブ２５は、先の実施形態について上述したように、例えば、カートリッジ３又は容器４の水平姿勢では曲げ可能である及び／又は流体２に向けて曲がることができる。
【０３３８】
これに加えて、螺旋又はチューブ２５の圧縮性は、自由端２５Ｂが流体２に浸漬されたままであるように、螺旋又はチューブ２５がその長さを適応させることを可能にする。これは、好ましくは、螺旋又はチューブ２５が容器４又はバッグ５の壁に付着しないように防止し、及び／又はカートリッジ３又は容器４の傾斜姿勢では自由端２５Ｂを流体２に浸漬された状態に保つのに寄与する。
【０３３９】
螺旋又はチューブ２５は、カートリッジ３又は容器４が傾斜姿勢にある時及び／又は螺旋又はチューブ２５が湾曲した時に、その巻線が互いに付着しないようになっていることが好ましい。特に、好ましい円錐形状のような自由端２５Ｂで又はその近くで最大直径を有する螺旋形状の場合に、自由端２５Ｂは、流体２の位置又はレベルに一層容易に適応することができる。これは、好ましくは自由端２５Ｂがチューブ２５の他の部分とは距離を置くことによるので、例えば、螺旋の次の巻線への嵌まり込みが防止される。
【０３４０】
特に好ましくは、螺旋は、カートリッジ３が少なくとも本質的に上下逆さまの姿勢にある時に、重力Ｇ及び／又はチューブ２５の湿潤性により、圧縮可能及び／又は反転可能である。これを好ましい円錐形状について図１８に示している。
【０３４１】
非円錐形状の場合に、上下逆さまに回転させた時に、螺旋又はチューブ２５は最大に圧縮状態になるか又は圧縮され、及び／又は螺旋のピッチは可能な限り小さく、特に少なくとも本質的にゼロである（図示せず）。
【０３４２】
好ましい円錐形状の場合に、図１８に示すように、上下逆さまに回転させた時に、螺旋又はチューブ２５が逆方向に動く又は反転され、及び／又はチューブ２５は螺旋形状を有するが反対方向であり、固定端部２５Ａから閉鎖部７又はカートリッジ３又は容器４の上部に向けて渦巻き形に進む又は延びる。この場合に、螺旋のピッチは、直立姿勢でのピッチとは異なり得るが、同じとすることもできる。
【０３４３】
好ましくは、上下逆さまの姿勢では、螺旋及び／又はチューブ２５は接続ポート９及び／又はアダプタ２６の周りに渦を巻く。
【０３４４】
上下逆さま姿勢では、自由端２５Ｂはカートリッジ３の上部又は上側軸線方向端部又は閉鎖部７の近くに位置付けられることが好ましい。このようにして、自由端２５Ｂは常に流体２に浸漬されたままであることが保証される。
【０３４５】
好ましくは、螺旋又はチューブ２５は、水平姿勢と上下逆さまの姿勢の間のカートリッジ３の姿勢においても、少なくとも部分的に逆方向に動く又は反転される。それにより、自由端２５Ｂはこれらの姿勢でも流体２に浸漬されたままであることが保証される。
【０３４６】
一般的に、チューブ２５の自由端２５Ｂは、カートリッジ３の方位とは独立にチューブ２５の少なくとも本質的に最も低い点を常に形成することができる。
【０３４７】
図１９は、本発明の第５の実施形態によるカートリッジ３を示している。
【０３４８】
第５の実施形態により、カートリッジ３は、可動要素又はピストン３５を含むことが好ましい。特に、ピストン３５は軸線方向に及び／又は容器４内で可動である。
【０３４９】
第５の実施形態により、容器４はその底部又は下側軸線方向端部に開口部を有することが好ましく、この開口部はピストン３５によって閉め切られる。
【０３５０】
特に、出荷状態では及び／又は何らかの流体２がカートリッジ３又は容器４から引き出される前は、ピストン３５は初期（下側）位置にある。好ましくは、初期位置において、ピストン３５は、閉鎖部７とは反対側の容器４のベース又は軸線方向端部に隣接して又はそこに位置付けられる。初期位置において容器４、閉鎖部７、及びピストン３５によって定められる容積は、容器４の最大充填容積であるか又はそれを定めることが好ましい。
【０３５１】
好ましくは、容器４又はピストン３５は、ピストン３５と容器４の内壁の間に作用するための、特に液密及び／又は気密の方式で容器４の内部に対してピストン３５を密封するためのピストンシール３６を有する。ピストンシール３６は、リング又はリップとして形成され、及び／又はピストン３５によって維持されるものとすることができる。しかし、他の構成的ソリューションも同様に可能である。
【０３５２】
流体２を引き出す時に、ピストン３５は、図１９の描写では上方に閉鎖部７に向けて軸線方向に移動することが好ましい。特に、図１９は、何らかの流体２が既にカートリッジ３から引き出された状態、及び／又はピストン３５が既に上方に移動した状態のカートリッジ３を示している。
【０３５３】
好ましくは、第５の実施形態によるカートリッジ３は、通気部／換気部６を含まないか又は必要としない。この場合に、カートリッジ３から流体２を引き出すことにより、容器４内に低圧が生じ、従って、容器４の内側と外側の間に圧力差が生じる。この圧力差が、好ましくはピストン３５を移動し、特に、閉鎖部７、容器４、及びピストン３５によって定められる容積が減少するようにする。従って、ピストン３５は、容器４内外の圧力の圧力補償が達成されるまで閉鎖部７に向けて移動することが好ましい。
【０３５４】
特に、ピストン３５は容器４内で新たな軸線方向位置を取り、更に流体２が引き出されるまでこの新たな軸線方向位置に留まる。
【０３５５】
好ましくは、接続ポート９及び／又はアダプタ２６は、ピストン３５が少なくとも本質的に完全に閉鎖部７まで及び／又は少なくとも本質的に容器４の全長にわたって移動することができるように容器４内部の奥まで延びていない。特に、閉鎖部７、容器４、及びピストン３５によって定められる容積は、ほぼ全ての流体２をカートリッジ３から引き出すことができるように少なくとも本質的にゼロまで低減することができる。
【０３５６】
特に好ましくは、第５の実施形態によるカートリッジ３は、チューブ２５を更に含む。特に、チューブ２５の固定端部２５Ａは容器４の上部又は上側軸線方向端部の近くに位置付けられ、それに応じて接続ポート９及び／又はアダプタ２６は容器４内部の奥まで延びていない。
【０３５７】
チューブ２５の自由端２５Ｂは、好ましくはピストン３５に固定される又は取り付けられる。特に、チューブ２５は、自由端２５Ｂで又はその近くで、例えば、ブラケット又はクランプのようなファスナ３７によってピストン３５に締結される。しかし、例えば、チューブ２５をピストン３５に接着することのような他のソリューションも可能である。
【０３５８】
好ましくは、チューブ２５はその自由端２５Ｂで又はその近くで漏斗形状又は円錐形状である。特に、チューブ２５の外径は、自由端２５Ｂに向けて増大することができる。
【０３５９】
ファスナ３７は、一定の外径を有するチューブ２５の一部に設けられることが好ましい。このようにして、よりも大きい外径を有する自由端２５Ｂはファスナ３７から外れることができないので、チューブ２５は、ファスナ３７を使用して形状適合方式でピストン３５に取り付けられる。
【０３６０】
好ましくは、チューブ２５は、その自由端２５Ｂが閉鎖部７に向いたピストン３５の面に対して少なくとも本質的に平行である及び／又は接近するようにピストン３５に取り付けられる。
【０３６１】
特に、自由端２５Ｂは常に流体２を含有する容積の底部又は下側軸線方向端部に位置付けられ、及び／又は流体２はそこから常に引き出される。これは、流体２が直立姿勢のカートリッジ３から引き出される場合に特に有利である。
【０３６２】
特に好ましくは、チューブ２５は、第４の実施形態に関連して説明したような螺旋形状、取りわけ好ましくは円錐螺旋の形状を有する。
【０３６３】
第４の実施形態に関連して既に説明したように、螺旋は、好ましくは圧縮可能であり、円錐螺旋は、特に好ましくは、最大に圧縮された時に少なくとも本質的に平坦又は２次元の渦巻になるか又はそれを形成することができる。
【０３６４】
螺旋又はチューブ２５の圧縮性は、可動ピストン３５との接続において特に有用である。ピストン３５が閉鎖部７に向けて移動する時に、螺旋又はチューブ２５は益々圧縮されることが好ましい。従って、螺旋又はチューブ２５の軸線方向長さは、特にそれ自体によって、閉鎖部７とピストン３５間の距離に及び／又は流体２を含有する容積の軸線方向長さに調節可能であるか又は調節する。それにより、ピストン３５は、終端位置に到達する前にチューブ２５によって阻止される又は妨げられることなく、容器４内を移動することができることが保証される。
【０３６５】
ピストン３５は、螺旋又はチューブ２５が最大に圧縮された時にその終端位置を取ることが好ましい。その場合に、ピストン３５の更に別の移動は螺旋又はチューブ２５によって阻止され、及び／又は容器４からそれ以上流体２を引き出すことができない。この点に関して、円錐螺旋は、最大に圧縮されると少なくとも本質的に平坦な渦巻になり、従って、容器４内の最小限の軸線方向空間を占めるので特に有利である。従って、円錐螺旋を有するカートリッジ３では、ピストン３５は少なくとも本質的に容器４の軸線方向長さ全体に沿って移動することができ、及び／又は少なくとも本質的に全ての流体２をカートリッジ３から引き出すことができる。
【０３６６】
図２０は、本発明の第６の実施形態によるカートリッジ３を示している。
【０３６７】
第６の実施形態により、カートリッジ３は、流体２を含有する好ましくは可撓性／圧潰性のバッグ５を含み、好ましくは、バッグ５は、図１及び２に関して上述したように容器４内に配置又は維持され、可撓性／曲げ可能のチューブ２５を更に含む。
【０３６８】
好ましくは、換気部／通気部６は、容器４の底部又は下側軸線方向端部に配置される。このようにして、圧潰性バッグ５は、その下側軸線方向端部を起点として容器４から離れ、及び／又はその下側軸線方向端部から圧潰することが保証される。特に、この場合の換気部／通気部６は間接的なガス接続である。従って、滅菌フィルタは必要ないが、そのようなフィルタを更に設けることは可能である。
【０３６９】
チューブ２５、特にその自由端２５Ｂは、好ましくは浸漬要素２７を含まない。これは、好ましくは、チューブ２５の可動性を増大させ、及び／又は特にバッグ５の折れ目にチューブ２５が嵌まり込む又は詰まるのを防止又は低減する。しかし、図１０に関連して上述したように、チューブ２５に浸漬要素２７、特に好ましくは取り囲む浸漬要素２７を設けることも可能である。
【０３７０】
好ましくは、バッグ５はチューブ２５よりも湿潤性が低く、及び／又は少なくとも部分的に疎水性及び／又は無極性の（内側）面を含む。この場合に、バッグ５、特にその（内側）面は、疎水性及び／又は無極性の材料で被覆することができ、及び／又は疎水性及び／又は無極性の材料で製造することができる。このようにして、任意的にバッグ５の（内側）面に接着する流体２がより少なくなるように、バッグ５の湿潤性を低減する。従って、相乗方式で、親水性及び／又は極性のチューブ２５と疎水性及び／又は無極性のバッグ５とは、カートリッジ３から引き出すことができる流体２の容積の増加を促進する。
【０３７１】
例えば、バッグ５は、ポリテトラフルオロエチレン又はパラフィンワックスのようなワックスなどで製造されるか又はそれらで被覆することができると考えられる。
【０３７２】
好ましくは、流体２の液滴とバッグ５の面の間の接触角は、７０°よりも大きく又は９０°、特に１００°又は１１０°よりも大きく、特に好ましくは１３０°よりも大きく又は１４０°である。
【０３７３】
図２１〜２３は、本発明の第７の実施形態によるカートリッジ３を示している。図２１は、送出機構１０に接続される前の及び／又は閉じた又は無傷のシール８、ホイル８Ａ、及び／又は膜又は密封壁３１を有するカートリッジ３を示している。図２２は、送出機構１０に接続した時の及び／又は開放又は貫通されたシール８、ホイル８Ａ、及び／又は膜又は密封壁３１を有するカートリッジ３を示している。図２３は、閉じた又は無傷状態の膜又は密封壁３１の図式詳細図である。
【０３７４】
膜又は密封壁３１の特徴又は接続要素１４の半径方向密封などのようなチューブ２５に直接関連しない第７の実施形態に関連して説明する特徴は、好ましくはチューブ２５とは独立に実施することもできる。この場合に、接続要素１４は、カートリッジ３に接続された状態で図１及び２に示すように流体２に浸漬される。
【０３７５】
チューブ２５の特徴、特にその接続要素１４との接続に関して、第７の実施形態は、図８及び９に示すような第２の実施形態と同様である。従って、関連する相違点又は追加の態様のみを強調することになる。特に第２の実施形態に関連付けられた以上の説明は、好ましくは追加的に又は類似の方式で適用され、繰り返されない場合でも類似の特徴及び利点をもたらす。しかし、チューブ２５の湿潤性、その形状などのような他の実施形態に関する別の説明、特徴、及び利点も達成することができる。
【０３７６】
本発明の第７の実施形態により、中間部品２９は、チューブ２５と一体的に形成されることが好ましい。特に、固定端部２５Ａは中間部品２９を含む又は形成する。
【０３７７】
固定端部２５Ａ又は中間部品２９は、好ましくは接続要素１４に対する接触面２９Ｂを含み、チューブ２５とは離れる方向に及び／又はカートリッジ３の上部向く側に配置される。
【０３７８】
好ましくは、中間部品２９又は固定端部２５Ａは、閉鎖部７、接続ポート９、及び／又はアダプタ２６に対して及び／又はその内部で軸線方向に可動である。固定端部２５Ａは、少なくとも最初は又は出荷状態では、半径方向の移動に対してだけ固定されていることが好ましい。出荷状態は、カートリッジ３がネブライザ１に接続されるか又は挿入される前の状態として理解されるものとする。
【０３７９】
カートリッジ３がネブライザ１の送出機構１０に接続された後、固定端部２５Ａは、軸線方向の移動に対しても固定されていることが好ましい。
【０３８０】
特に、第７の実施形態により、アダプタ２６及びチューブ２５は、チューブ２５全体が、それと一体的に形成された中間部品２９と共に閉鎖部７、接続ポート９、及び／又はアダプタ２６に対して好ましくは軸線方向に可動であるように、２つ別々の部品として形成されることが好ましい。
【０３８１】
中間部品２９、固定端部２５Ａ、及び／又はチューブ２５は、接続要素１４の長さ公差を補償するようになっていることが好ましい。
【０３８２】
出荷状態では又はカートリッジ３がネブライザ１の送出機構１０に接続される前は、中間部品２９、固定端部２５Ａ、及び／又はチューブ２５は、アダプタ２６又は接続ポート９内で中間部品２９、固定端部２５Ａ、及び／又はチューブ２５を更に軸線方向下方に押すことを可能にする位置初期位置に配置されることが好ましい。
【０３８３】
好ましくは、中間部品２９、固定端部２５Ａ、及び／又はチューブ２５は、（半径方向の）圧力嵌めによってその初期位置に維持される。
【０３８４】
好ましくは、中間部品２９又は固定端部２５Ａは、特にチューブ２５に向けて及び／又はカートリッジ３の上部から離れる方向に向く側にストップ２９Ａを含む。接続ポート９又はアダプタ２６は対応する支持面２６Ｂを有し、ストップ２９Ａが支持面２６Ｂに当たった時に軸線方向の移動を制限することが好ましい。
【０３８５】
接続要素１４が挿入される時、及び／又はカートリッジ３がネブライザ１の送出機構１０に接続される時に、接続要素１４は、好ましくは中間部品２９又は固定端部２５Ａに、特にその接触面２９Ｂに当たり、及び／又は接続要素１４の軸線方向長さに応じて中間部品２９、固定端部２５Ａ、及び／又はチューブ２５を（更に）軸線方向下方に（すなわち、カートリッジ３の内側に向けて）押す又は移動する。
【０３８６】
このようにして、接続要素１４の長さの変動を補償することができることが好ましい。
【０３８７】
図２２は、チューブ２５が最大に押される又は移動された場合、及び／又はストップ２９Ａが支持面２６Ｂに当たった場合を示している。しかし、特に接続要素１４が図２２に示す例よりも短い場合に、チューブ２５が下方に部分的にしか又は全く押されない／移動されない場合も考えられる。
【０３８８】
接続要素１４の長さ公差の補償に関する第２及び第７の実施形態の主な違いは、第２の実施形態では、中間部品２９がチューブ２５などに差し込むことができる別々の部品として形成されるのに対して、第７の実施形態では、中間部品２９は、チューブ２５、特に固定端部２５Ａと一体的に形成されるということである。従って、第７の実施形態では、中間部品２９は、好ましくはチューブ２５に対して押されない／移動されないが、チューブ２５全体は、中間部品２９と共に接続ポート９又はアダプタ２６に対して押される／移動される。
【０３８９】
他の点では、第２の実施形態に関して説明した特徴及び利点は、第７の実施形態に等しく適用可能である。特に好ましくは、接続要素１４及びチューブ２５が連続毛管及び／又は少なくとも本質的に一定の流れ区域を形成する又は含むことに関して第２の実施形態に関連して説明した特徴は、第７の実施形態によるカートリッジ３にも当て嵌まる。特に、接続要素１４からチューブ２５又は中間部品２９への移行部における空隙又は間隙が最小にされ、それによって毛管作用停止が防止される。
【０３９０】
以下の説明、特徴、及び利点は、好ましくはチューブ２５とは独立に実施することができ、すなわち、それらは、接続要素１４が図１及び２に示すように流体２に浸漬されてチューブ２５を持たないカートリッジ３にも適用される。それに応じて、接続要素１４の長さは、更にチューブ２５を設ける場合よりも大きいことが好ましい。
【０３９１】
好ましくは、カートリッジ３は、閉鎖部７と容器４及び／又はバッグ５との間にシーリングＳ１を含む。図１〜１０において、このシーリングＳ１は、密封リング等の形態の密封要素３２として示され、特にカートリッジ３を軸線方向に密封する。
【０３９２】
本発明の第７の実施の形態により、図２１及び２２示すように、好ましくは、そのような密封要素３２は、閉鎖部７と容器４及び／又は容器４内に軸線方向に延びるバッグ５との間に配置され、任意的に容器４の開口部の縁の上に半径方向に突出することができる。特に、密封要素３２は、閉鎖部７、特に接続ポート９と容器４の間に半径方向及び／又は軸線方向の圧入／緊密嵌合によって維持されるか又は固定される。特に好ましくは、気密及び／又は液密の接続又はシーリングＳ５が、密封要素３２と容器４の間に特に半径方向及び／又は軸線方向に形成される。
【０３９３】
好ましくは、密封要素３２は、漏斗形状及び／又は円錐形状であり、及び／又は接続ポート９に取り付けられる。特に、アダプタ２６は可撓性であり、及び／又は接続ポート９及び／又は接続要素１４、特にその軸線方向端部を最も好ましくは圧入／緊密嵌合の方式で密封的に受け入れるようになっている。特に好ましくは、接続ポート９と密封要素３２の間にシーリングＳ４が形成される。
【０３９４】
好ましくは、閉鎖部７は、密封要素３２を含む。
【０３９５】
密封要素３２は、ゴム、特にニトリルゴム、ブタジエンゴム、スチレン−ブタジエンゴム、イソプレンゴム、スチレン−イソプレンゴム、ブチルゴム、エチレンプロピレンジエンモノマゴムのような及び／又は（可撓性）プラスチック、特にポリアミド、ポリエチレン、ポリプロピレン、ポリウレタン、ポリブチレンテレフタレート、又はポリエーテルブロックアミドのような熱可塑性プラスチック及び／又は熱可塑性エラストマーで製造されることが好ましい。他の適切な材料も同様に使用することができる。
【０３９６】
好ましくは、カートリッジ３、特に接続ポート９及び／又は密封要素３２は、特に圧入／緊密嵌合の方式で、及び／又はカートリッジ３と送出機構１０の間に流体接続及び／又は緊密な接続を確立することができるように、接続要素１４、好ましくはその軸線方向端部及び／又はその外縁を密封的に受け入れるようになっている。
【０３９７】
特に、カートリッジ３は、好ましくは接続要素１４の直径に対応する少なくとも本質的に一定の直径を有し、接続要素１４のための好ましくは円筒形の挿入開口部を有する又は形成する。好ましくは、開口部は、閉鎖部７、接続ポート９、及び／又は密封要素３２によって形成される。開口部は、特にホイル８Ａ及び／又は膜又は密封壁３１のようなシール８により、初めは覆われるか又は閉じられるものとすることができ、シール８は接続要素１４によって破断又は貫通されるようになっている。
【０３９８】
好ましくは、接続ポート９及び／又は密封要素３２は、可撓性及び／又は延伸性である。
【０３９９】
特に、挿入された状態で、接続要素１４と接続ポート９は圧入方式で接続される。
【０４００】
最も好ましくは、接続ポート９は、特に液密及び／又は気密の接続又はシーリングＳ２が接続ポート９と接続要素１４の間に形成されるように接続要素１４によって（横方向に）広げられる。
【０４０１】
これに加えて又はこれに代えて、挿入された状態で、接続要素１４と密封要素３２は、密封的に及び／又は圧入方式で接続される。特に、（可撓性）密封要素３２は、特に接続要素１４、好ましくはその軸線方向端部及び／又はその外縁と密封要素３２との間に液密及び／又は気密な接続又はシーリングＳ３が形成されるように、接続要素１４、好ましくはその軸線方向端部及び／又はその外縁によって（横方向に）広げられる。
【０４０２】
好ましくは、接続要素１４又はその軸線方向端部は、接続ポート９を貫通する必要があり、特に、設けられた場合は膜又は密封壁３１を破断又は貫通した後で密封要素３２によって密封的に受け入れられる及び／又はシーリングＳ３を形成する。
【０４０３】
ここでは、接続ポート９と密封要素３２の両方は、接続要素１４と密封的に及び／又は圧入方式で接続されている。言い換えれば、２つの密封場所又はシーリングＳ２、Ｓ３が接続要素１４と共に確立される：第１のものは、接続要素１４の側面又はシェル面と接続ポート９の間、第２のものは、接続要素１４の軸線方向端部と密封要素３２の間である。
【０４０４】
好ましくは、この場合に、接続要素１４は、挿入されるか又は受け入れられる時に、最初に接続ポート９と共にシーリングＳ２を形成又は確立し、接続ポート９を貫通した後に密封要素３２と共にシーリングＳ３を形成又は確立する。
【０４０５】
特に好ましくは、接続要素１４は、密封要素３２及び／又は接続ポート９によって半径方向に密封されるか又はそれらと密封接続される。接続要素１４と接続ポート９又は密封要素３２との間のそのような（半径方向）シーリングＳ２、Ｓ３をそれぞれ図２２に示している。特に、シーリングＳ２及び／又はＳ３は、接続ポート９及び／又は密封要素３２との接続要素１４の圧入／緊密嵌合によって達成されるか又は形成される。
【０４０６】
特に、接続ポート９及び／又は密封要素３２は、少なくとも部分的に可撓性、変形可能、及び／又は延伸性であり、接続要素１４の外径よりも小さい直径を有する部分を有する。接続要素１４を挿入する時に、この部分は、シーリングＳ２及び／又はＳ３がその部分でそれぞれ接続要素１４と接続ポート９及び／又は密封要素３２との間に形成されるように撓む／変形する／延伸することができる。これに代えて又はこれに加えて、接続要素１４は（半径方向に）可撓性又は変形可能とすることができる。
【０４０７】
特に好ましくは、接続要素１４は、挿入される時に密封要素３２に及ぼされる力及び／又は接続ポート９、密封要素３２、及び／又は容器４の圧入／緊密嵌合が更に高まるように接続ポート９及び／又は密封要素３２を延伸／変形させる。
【０４０８】
好ましくは、接続要素を軸線方向に移動する場合でも、接続要素１４と接続ポート９の間のシーリングＳ２、及び／又は接続要素１４と密封要素３２の間のシーリングＳ３を確立することができ、それは、接続要素１４が接続ポート９及び／又は密封要素３２によって横方向／半径方向に密封的に受け入れられる及び／又はそれらに接続されるからである。このようにして、シーリングＳ２、Ｓ３は、特に流体２が接続要素９を通してのみカートリッジ３から出ることができるように、接続要素１４の挿入中及び／又はカートリッジ３をネブライザ１の送出機構１０に接続する間にも提供される。
【０４０９】
シーリングＳ２は、少なくとも本質的には、出荷状態では膜又は密封壁３１が置かれるレベルで接続ポート９に形成又は確立されることが好ましい。言い換えれば、接続要素１４が接続ポート９に挿入される時に、膜又は密封壁３１によって形成された密封は、シーリングＳ２によって置換されることが好ましい。
【０４１０】
図２２は、カートリッジ３をネブライザ１に挿入した後で形成又は確立されることが好ましい更に別のシーリングＳ６を示している。特に、シーリングＳ６は、設けられた場合にシーリングＳ２の上方に及び／又は閉鎖部７の上部の近くに位置付けられる。シーリングＳ６は、閉鎖部７／接続ポート９と接続要素１４との間、又は図２２に示すように閉鎖部７／接続ポート９とネブライザ１のホルダ１１の一部との間に形成することができる。
【０４１１】
密封要素３２は、チューブ２５を含むカートリッジ３の場合に、アダプタ２６を形成する又は含むことが好ましい。特に、アダプタ２６に関連して及び密封要素３２に関連して様々な実施形態で説明した説明、特徴、及び利点は、チューブ２５を設ける場合は相互に適用可能である。
【０４１２】
好ましくは、接続要素１４は、第２の実施形態に関連して上述したようにその軸線方向端部でチューブ２５に、特に固定端部２５Ａ又は中間部品２９に（更に）密封接続される。しかし、シーリングＳ２及び／又はＳ３を設ける場合に、そのような密封を省くことができる。
【０４１３】
好ましくは、接続ポート９とアダプタ２６／密封要素３２とは、圧入／緊密嵌合によって互いに接続され、特にそれらの間にシーリングＳ４を形成する。しかし、ここでは他のソリューションも可能であり、例えば、接続ポート９とアダプタ２６／密封要素３２は一体的に又はワンピースとして形成される。これに代えて、アダプタ２６／密封要素３２は、接続ポート９がアダプタ２６／密封要素３２の上に又はその中にある状態で、容器４に接続されるか又は容器４に維持されるものとすることができる。
【０４１４】
特に好ましくは、接続ポート９とアダプタ２６／密封要素３２は、容器４上に装着される前に特に圧入／緊密嵌合によって接続される又は組み立てられる。
【０４１５】
チューブ２５は、容器４上に装着された時に接続ポート９又はアダプタ２６／密封要素３２に一体化される及び／又はそれらとユニットを形成することができる。これに代えて、接続ポート９及び／又はアダプタ２６／密封要素３２が最初に容器４上に装着され、続いてチューブ２５が、容器４内に特に上部から挿入される。
【０４１６】
以下では、好ましくはカートリッジ３に含まれる膜又は密封壁３１をより詳細に説明する。
【０４１７】
膜又は密封壁３１は、ダイヤフラム又はセプタムとして具現化されることが好ましい。好ましくは、膜又は密封壁３１は、閉鎖部７又は接続ポート９の中に、特に好ましくは、アダプタ２６／密封要素３２又はチューブ２５の方向を向く及び／又はカートリッジ３の上部から離れる方向に向く閉鎖部７又は接続ポート９の端面に一体化される及び／又は配置される。
【０４１８】
これに代えて、膜又は密封壁３１はまた、アダプタ２６／密封要素３２に一体化され、その中に配置され、及び／又はそれらに接続されるものとすることができる。１よりも多い膜密封壁３１を設けることも可能であり、例えば、１つが接続ポート９に配置され、１つがアダプタ２６／密封要素３２に配置される。
【０４１９】
以下の説明では、膜又は密封壁３１は接続ポート９に配置されると仮定する。しかし、当業者には容易に明らかなように、膜又は密封壁３１がアダプタ２６／密封要素３２に配置される場合もまた、説明する特徴を同様に実現することができる。
【０４２０】
膜又は密封壁３１は、好ましくはシール８を形成し、特に容器４に含有された流体２から閉鎖部７又は接続ポート９を密封する。
【０４２１】
膜又は密封壁３１の形状は、好ましくは接続要素１４に対応し、特に膜又は密封壁３１は、少なくとも本質的に円形又は円板状であり、及び／又は接続要素１４の外径に等しい直径を少なくとも本質的に有する。
【０４２２】
出荷状態では、膜又は密封壁３１は、閉鎖部７又は接続ポート９と一体的に形成されるか又はそれらとのワンピースとして形成されることが好ましい。特に好ましくは、閉鎖部７又は接続ポート９と膜又は密封壁３１とは、ワンピースとして射出成形される。
【０４２３】
好ましくは、膜又は密封壁３１は、中心又は隆起部分３１Ａ、円周部分３１Ｂ、接続部分３１Ｃ、及び／又はフィルムヒンジ３１Ｄを含む。膜又は密封壁３１及び／又は膜又は密封壁３１の異なる部分３１Ａ〜３１Ｄは、好ましくはワンピースとして形成され、特に射出成形される。
【０４２４】
中心又は隆起部分３１Ａは、好ましくは、膜又は密封壁３１の中心に配置され、及び／又は膜又は密封壁３１の肉厚部分として具現化される。隆起部分３１Ａは、ドーム状又は球状セグメントとして形成されることが好ましい。特に、中心又は隆起部分３１Ａは、チューブ２５の方向を向く及び／又はカートリッジ３の上部から離れる方向に向く膜又は密封壁３１の側に配置される。
【０４２５】
特に好ましくは、膜又は密封壁３１は、カートリッジ３の上部の方向を向く側が特にその側に隆起部分分３１Ａを設けたために少なくとも本質的に平坦であり、及び／又はその反対側が湾曲する又は膨らんでいる。
【０４２６】
円周部分３１Ｂは、出荷状態では膜又は密封壁３１を接続ポート９に接続することが好ましい。特に、円周部分３１Ｂは、出荷状態では膜又は密封壁３１を接続ポート９と一体的に接続するリング又はリングのセクションを形成する。
【０４２７】
円周部分３１Ｂは、少なくとも部分的に膜又は密封壁３１の周囲に沿って配置されることが好ましい。特に、接続部分３１Ｃ及び／又はフィルムヒンジ３１Ｄを含む膜又は密封壁３１の周囲のセクションのみが円周部分３１Ｂを含まない。
【０４２８】
円周部分３１Ｂは、好ましくは非常に薄く具現化され、及び／又は膜又は密封壁３１の定められた破断点を形成する。
【０４２９】
好ましくは、円周部分３１Ｂの厚みは、０．１ｍｍ未満又は０．０５ｍｍである。
【０４３０】
接続部分３１Ｃは、ウェブ状に形成されるか又は隆起部分又は補強リブとして形成されることが好ましい。特に、接続部分３１Ｃは、膜又は密封壁３１の中心及び／又は隆起部分３１Ａから接続ポート９まで延びる。特に好ましくは、接続部分３１Ｃは、接続ポート９から膜又は密封壁３１の中心及び／又は隆起部分３１Ａまでのブリッジ又は追加接続部を形成する。
【０４３１】
特に、膜又は密封壁３１は、好ましくは円周部分３１Ｂを通して（一体的に）接続されることに加えて、接続部分３１Ｃを通して接続ポート９に（一体的に）接続される。
【０４３２】
接続部分３１Ｃは、隆起部分３１Ａ、膜又は密封壁３１、及び／又は接続ポート９と共に一体的に形成されることが好ましい。
【０４３３】
特に好ましくは、接続部分３１Ｃ及び／又は隆起部分３１Ａは、円周部分３１Ｂの１０倍又は２０倍の厚みである。
【０４３４】
特に射出成形によって接続ポート９及び／又は膜又は密封壁３１を製造する場合に、接続部分３１Ｃは、接続ポート９から膜又は密封壁３１の中心に向けてブリッジ又は追加接続部を形成することが好ましい。接続部分３１Ｃは、特に、成形材料、特に成形プラスチックが接続部分３１Ｃを通して膜又は密封壁３１の中心に射出される又は流れ込み、それによって中心又は隆起部分３１Ａを形成することができるように、円周部分３１Ｂを架橋することが好ましい。特に、材料は、接続部分３１Ｃを通じて円周部分３１Ｂを横切ることができる。それにより、円周部分３１Ｂを望むように薄く形成することが保証されるが、それは、射出成形工程中に円周部分３１Ｂを通して材料が射出されるか又は流れる必要がないからである。
【０４３５】
膜又は密封壁３１又は接続部分３１Ｃは、好ましくはフィルムヒンジ３１Ｄを形成する又は含む。特に、膜又は密封壁３１は、フィルムヒンジ３１Ｄで揺動する又はヒンジ式に離れるように動くことができる。
【０４３６】
カートリッジ３をネブライザ１の送出機構１０に接続する場合に、接続要素１４は、特にカートリッジ３の上部から接続ポート９に挿入することが好ましい。
【０４３７】
接続要素１４は、膜又は密封壁３１を破断する又は突き抜けるようになっていることが好ましい。
【０４３８】
好ましくは、閉鎖部７又は接続ポート９は、接続要素１４を挿入するための開口部を含む。開口部は、接続要素１４を膜又は密封壁３１に位置合わせする又は案内する漏斗形状又は先細部分を有することが好ましい。特に、接続要素１４は、それが膜又は密封壁３１を規定の又は正確な方法で貫通する又は破断することができるように位置決めされる及び／又は構成される。
【０４３９】
接続要素１４が膜又は密封壁３１に押圧される及び／又は接続ポート９に挿入される時に、膜又は密封壁３１は、円周部分３１Ｂに沿って破断又は断裂し、又はそのように適応されていることが好ましい。
【０４４０】
中心／隆起部分３１Ａ、接続部分３１Ｃ、及び／又はフィルムヒンジ３１Ｄは、接続要素１４が膜又は密封壁３１を押す時又は接続要素が接続ポート９に挿入される時に無傷のままであり、及び／又は断裂又は破断しないことが好ましい。特に、接続要素１４を接続ポート９に挿入する間又はその後に、膜又は密封壁３１は、フィルムヒンジ３１Ｄを通して接続ポート９と接続したままである。
【０４４１】
接続要素１４が膜又は密封壁３１に押圧される時又はカートリッジ３を送出機構１０に接続する間に、膜又は密封壁３１は、揺動する、ヒンジ式に移動する、又は脇へ傾くか又はそのように適応されていることが好ましい。
【０４４２】
特に好ましくは、膜又は密封壁３１は、接続ポート９又はアダプタ２６／密封要素３２によって形成されたポケット９Ａの中に揺動する、傾く、又はヒンジ式に動く。好ましくは、カートリッジ３を送出機構１０に接続した後又はネブライザ１の作動状態では、膜又は密封壁３１は、図２２に示すようにポケット９Ａの脇へ及び／又はその内側へ傾いたままである。
【０４４３】
特に好ましくは、膜又は密封壁３１は、接続ポート９、アダプタ２６／密封要素３２、又は接続要素１４の長手軸に対して傾斜するように接続ポート９及び／又はアダプタ２６／密封要素３２に配置される。特に、その長手軸は、膜又は密封壁３１の主延長平面と非直角の角度を有する又はそれと直交しない。特に、膜又は密封壁３１の主延長平面は、カートリッジ３の直立姿勢では水平ではない。
【０４４４】
好ましくは、膜又は密封壁３１は、カートリッジ３の直立姿勢ではフィルムヒンジ３１Ｄが膜又は密封壁３１の少なくとも本質的に最低点に位置付けられるように傾斜する。特に、フィルムヒンジ３１Ｄは、チューブ２５に最も近い膜又は密封壁３１の点であり、及び／又はカートリッジ３又は閉鎖部７の上部から最も遠く離れた点である。
【０４４５】
接続要素１４をカートリッジ３に挿入すると、接続要素１４は、フィルムヒンジ３１Ｄの少なくとも本質的に反対側にある膜又は密封壁３１の点に最初に触れるか又はそれを押す。これは、特に膜又は密封壁３１の傾斜配置に起因するものであり、フィルムヒンジ３１Ｄの反対側の点は、膜又は密封壁３１の最高点であり、及び／又はカートリッジ３又は閉鎖部７の上部に最も近い点である。
【０４４６】
好ましくは、膜又は密封壁３１又は円周部分３１Ｂは、その最高点又はフィルムヒンジ３１Ｄの反対側の点で断裂又は破断し始める。特に、その点又はその点の近くの円周部分３１Ｂは、膜又は密封壁３１の最も薄い部分になるように形成することができる。
【０４４７】
接続要素１４を更に押し下げると、フィルム又は密封壁３１は、好ましくは円周部分３１Ｂ全体に沿って更に断裂し、一方でフィルムヒンジ３１Ｄを通して接続ポート９に依然として結合されたままであることが好ましい。
【０４４８】
膜又は密封壁３１は、円周部分３１Ｂに沿って断裂し、定められた方法で及び／又は同様に製造されたカートリッジ３に対して再現性のある方法で脇へ傾く、又はそのように適応されていることが好ましい。特に、膜又は密封壁３１を破断するのに必要とされる力は、同様に製造されたカートリッジ３に対して少なくとも本質的に同じである。
【０４４９】
それによって、好ましくは、カートリッジ３が送出機構１０に接続される時に、膜又は密封壁３１が接続要素１４、チューブ２５の固定端部２５Ａ、及び／又は送出機構１０を塞がない又は影響を与えないことが保証される。特に、膜又は密封壁は、完全には断裂しない、及び／又はフィルムヒンジ３１Ｄを通して接続ポート９と結合されたままであり、及び／又はポケット９Ａに維持される。
【０４５０】
接続ポート９、特にその端面は、特に図２３に示すように、フィルムヒンジ３１Ｄに隣接して位置付けられたステップ又は切欠き９Ｂを更に含むことができる。切欠き９Ｂは、ポケット９Ａ又はその一部を形成することができる。特に、切欠き９Ｂは、膜又は密封壁３１が脇へ傾く又はヒンジ式に動くことを可能にする又はより容易にする。
【０４５１】
本発明の第７の実施形態によるカートリッジ３は、ハウジング３３を更に含むことが好ましい。ハウジング３３は、容器４及び／又は閉鎖部７を覆うことが好ましい。特に、容器４及び／又は閉鎖部７はハウジング３３内に配置される。
【０４５２】
好ましくは、ハウジング３３は、特に接続要素１４をカートリッジ３に挿入するためにその上部に開口部を有する。出荷状態では、開口部は、シール８、特にホイル８Ａによって覆われることが好ましい。
【０４５３】
ハウジング３３は、好ましくはカートリッジ３の底部にバルブ、開口部、又は孔のような通気部／換気部６（図示せず）を含むことが好ましい。
【０４５４】
好ましくは、ハウジング３３は剛性であり、及び／又は金属、特にアルミニウムで製造される。しかし、ここではプラスチックハウジング３３のような他のソリューションも可能である。
【０４５５】
ハウジング３３は、特に容器４と閉鎖部７の間に形成された凹部内に延びる又は突出する（周方向の）窪み又はノッチ３３Ａを有することが好ましい。ノッチ３３Ａは、カートリッジ３のネックを形成することが好ましい。
【０４５６】
ネブライザ１のホルダ１１は、ノッチ３３Ａに対応する係合部分１１Ａを含むことが好ましい。係合部分１１Ａは、好ましくは可撓性であり、及び／又は可撓性アームとして形成される。特に、係合部分１１Ａは、カートリッジ３がネブライザ１のホルダ１１又は送出機構１０に接続される時にノッチ３３Ａと係合することができる。カートリッジ３は、ノッチ３３Ａと係合する係合部分１１Ａにより、圧力嵌め又は形状適合方式でネブライザ１内に維持又は固定されることが好ましい。
【０４５７】
好ましくは、カートリッジ３、容器４、及び／又はバッグ５は、閉鎖部７により、特に閉鎖部７、接続ポート９、アダプタ２６、密封要素、及び／又は容器４間の密封要素３２及び／又はシーリングＳ１、Ｓ４及びＳ５によって密封される。
【０４５８】
出荷状態では、カートリッジ３、容器４、及び／又はバッグ５は、シール８、特にホイル８Ａ及び／又は膜又は密封壁３１によって更に密封されることが好ましい。
【０４５９】
カートリッジ３が送出機構１０に接続された状態で、接続要素１４は、好ましくはシール８を破断又は貫通し、接続要素１４と閉鎖部７、接続ポート９、アダプタ２６、及び／又は密封要素３２との間の（新しい）シーリングＳ２及び／又はＳ３が確立される。従って、カートリッジ３が送出機構１０に接続した後又はネブライザ１の作動状態で、カートリッジ３、容器４、及び／又はバッグ５は、シーリングＳ１〜Ｓ５によって密封されることが好ましい。
【０４６０】
好ましくは、カートリッジ３は、閉鎖部７とハウジング３３の間に更に別のシーリングＳ７を含む。特に、閉鎖部７とハウジング３３の間に気密及び／又は液密な接続が形成される。
【０４６１】
特に好ましくは、閉鎖部７とハウジング３３の間のシーリングＳ７は、密封部材３４によって形成される又はそれを含む。
【０４６２】
シーリングＳ７又は密封部材３４は、カートリッジ３を半径方向に密封することが好ましい。
【０４６３】
密封部材３４は、好ましくは、リング、ガスケット、又は成形シールの形態である。密封部材３４は、好ましくは閉鎖部７の周方向の凹部又はノッチに位置付けられる。閉鎖部７及び密封部材３４は、特に好ましくは二成分射出成形によって一体的に形成することができる。
【０４６４】
ハウジング３３は、特にハウジング３３と閉鎖部７及び／又は密封部材３４との間に圧入／緊密嵌合を与える又はそれを強める、特に好ましくはそれによって密封７を形成するために、閉鎖部７及び／又は密封部材３４に向けて突出し、それらに当接する及び／又は圧迫を加える突出又は窪み３３Ｂを有することができる。
【０４６５】
シーリングＳ７又は密封部材３４は、カートリッジ３を環境から密封することが好ましい。すなわち、流体２が容器４から漏出した場合でも、特に容器４の閉鎖部７との接続部分を通して及び／又は通気部／換気部６を通して漏出することにより、流体２がカートリッジ３から漏出することが防止される。
【０４６６】
特に好ましくは、特に上述のように容器４と閉鎖部７の間にシール又はシーリングを設けることにより、容器４からの流体２の漏出が既に防止されることである。しかし、密封要素３４又はシーリングＳ７は、流体２が容器４から漏出した場合でも、流体２がカートリッジ３又はハウジング３３から漏出することができないように追加の及び／又はフェイルセーフとして設けられることが好ましい。
【０４６７】
好ましくは、少なくとも容器４及びアダプタ２６／密封要素３２は、蒸発又は拡散に対して少なくとも本質的に耐性がある。特に、密封要素３２によって形成されるシーリングは、流体２の漏出だけでなく、流体２の（長期にわたる）蒸発又は拡散も防止する。従って、カートリッジ３は、好ましいことに保管安定性があり、及び／又は流体２を実質的に失うことなく長期間にわたって保管することができる。
【０４６８】
特に好ましくは、カートリッジ３の他の部分、特に閉鎖部７、接続ポート９、ハウジング３３、及び／又は密封部材３４も、蒸発又は拡散に対して少なくとも本質的に耐性がある。しかし、特に流体２と直接接触しない部分は、蒸発／拡散耐性の低い材料で製造することができる。
【０４６９】
本発明は、カートリッジ３のあらゆる空間的な姿勢でカートリッジ３から流体２を引き出すこと、及び／又はカートリッジ３から例えば０．１ｍｌ未満、０．０５ｍｌ又は０．０１ｍｌのような低残存量の流体２を引き出すことさえも可能にする、サポートする、又は保証する。従って、本発明により、分注可能な投与量の総量が増加し、及び／又はネブライザ１の誤用又は誤適用を防止することができ、又は少なくともそのような誤用又は誤適用リスクを低減することができる。
【０４７０】
説明した異なる実施形態の個々の特徴、態様、及び／又は原理は、互いに独立に実現することができ、任意的にあらゆる組合せで互いに組み合わせることができ、特に図示のネブライザ１だけでなく、類似の又は異なるネブライザ／分注デバイスにおいて使用することもできる。
【０４７１】
自立式機器などとは違って、提案するネブライザ１は、好ましくは携帯式であるように設計され、特にモバイル手動デバイスである。
【０４７２】
しかし、提案するソリューションは、本明細書に具体的に説明するネブライザ１だけでなく、他のネブライザ又は吸入器において又は液体製剤を送出するための他デバイスにおいて使用することもできる。
【０４７３】
好ましくは、流体２は、上述のように、特に水溶性医薬製剤又はエタノール性医薬製剤、特に極性を有する液体である。しかし、流体２はまた、好ましくは水に基づく他の医薬製剤又は懸濁液などを含有することができる。
【０４７４】
好ましい医療流体２の好ましい成分及び／又は調剤は、特に、本明細書に引用によって組み込まれているＷＯ  ２００９／１１５２００  Ａ１、好ましくは２５〜４０頁に、又はＥＰ  ２  ６１４  ８４８  Ａ１、段落００４０から００８７に列挙されており、特に、これらは、水溶液又は非水溶液、混合物、又はエタノールを含有する又はいずれの溶媒も含まない調剤などである場合がある。
【０４７５】
異なる実施形態及びそれらの特徴及び態様は、望むように組み合わせることができるが、互いに独立に実現することもできる。
【０４７６】
参照番号のリスト
１  ネブライザ
２  流体
３  カートリッジ
４  容器
５  バッグ
６  換気部／通気部
７  閉鎖部
８  （貫通可能）シール
８Ａ  ホイル
９  接続ポート
９Ａ  ポケット
９Ｂ  切欠き
１０  送出機構
１１  ホルダ
１１Ａ  係合部分
１２  駆動バネ
１３  閉塞要素
１４  接続要素
１５  逆止バルブ
１６  圧力チャンバ
１７  ノズル
１８  マウスピース
１９  供給開口部
２０  ハウジング
２１  上側ハウジング部品
２２  下側ハウジング部品
２３  内側ハウジング部品
２４  貫通要素
２５  チューブ
２５Ａ  固定端部
２５Ｂ  自由端
２５Ｃ  （可撓性）チューブ部分
２５Ｄ  （剛性）チューブ部分
２６  アダプタ
２６Ａ  抗キンクデバイス
２６Ｂ  支持面
２７  浸漬要素
２８  横入口
２９  中間部品
２９Ａ  ストップ
２９Ｂ  接触面
３０  （チューブ）バルブ
３０Ａ  バルブボール
３０Ｂ  バルブチャンバ
３１  フィルム／密封壁
３１Ａ  隆起部分
３１Ｂ  円周部分
３１Ｃ  接続部分
３１Ｄ  フィルムヒンジ
３２  密封要素
３３  ハウジング
３３Ａ  ノッチ
３３Ｂ  窪み
３４  密封部材
３５  ピストン
３６  ピストンシール
３７  ファスナ
Ａ  エアロゾル
Ｇ  重力
Ｓ１  シーリング（容器−閉鎖部）
Ｓ２  シーリング（接続ポート−接続要素）
Ｓ３  シーリング（接続要素−アダプタ／密封要素）
Ｓ４  シーリング（接続ポート−アダプタ／密封要素）
Ｓ５  シーリング（容器−アダプタ／密封要素）
Ｓ６  シーリング（閉鎖部−接続要素／ホルダ）
Ｓ７  シーリング（閉鎖部−ハウジング）
【図１】
2020501665.tif 000003
【図２】
2020501665.tif 000004
【図３】
2020501665.tif 000005
【図４】
2020501665.tif 000006
【図５】
2020501665.tif 000007
【図６】
2020501665.tif 000008
【図７】
2020501665.tif 000009
【図８】
2020501665.tif 000010
【図９】
2020501665.tif 000011
【図１０】
2020501665.tif 000012
【図１１】
2020501665.tif 000013
【図１２】
2020501665.tif 000014
【図１３】
2020501665.tif 000015
【図１４】
2020501665.tif 000016
【図１５】
2020501665.tif 000017
【図１６】
2020501665.tif 000018
【図１７】
2020501665.tif 000019
【図１８】
2020501665.tif 000020
【図１９】
2020501665.tif 000021
【図２０】
2020501665.tif 000022
【図２１】
2020501665.tif 000023
【図２２】
2020501665.tif 000024
【図２３】
2020501665.tif 000025
【国際調査報告】
2020501665.tif 000026
2020501665.tif 000027
2020501665.tif 000028
2020501665.tif 000029
2020501665.tif 000030